(57)【特許請求の範囲】
【請求項１】
端末装置によって、基地局により送信されるランダムアクセス設定情報を受信するステップであって、前記ランダムアクセス設定情報は、周波数ホッピングパターン情報をさらに含み、前記周波数ホッピングパターン情報は、前記端末装置がランダムアクセス信号を各タイムユニット内で送信するときに用いられる周波数を表すために用いられる、ステップと、
前記端末装置によって、前記周波数ホッピングパターン情報にしたがって、ランダムアクセスチャネル上の第１のタイムユニット内で第１の周波数を用いることによりランダムアクセス信号を送信するステップであって、前記ランダムアクセスチャネルは前記ランダムアクセス設定情報にしたがって決定され、前記ランダムアクセスチャネル上の第２のタイムユニット内で第２の周波数を用いることによりランダムアクセス信号を送信し、前記ランダムアクセスチャネル上の第３のタイムユニット内で第３の周波数を用いることによりランダムアクセス信号を送信し、前記ランダムアクセスチャネル上の第４のタイムユニット内で第４の周波数を用いることによりランダムアクセス信号を送信する、ステップと、
を含み、
前記第１のタイムユニット、前記第２のタイムユニット、前記第３のタイムユニットおよび前記第４のタイムユニットは連続的または離散的なタイムユニットであり、前記第１の周波数、前記第２の周波数、前記第３の周波数および前記第４の周波数は２つの周波数ホッピング間隔を含み、
前記ランダムアクセス設定情報にしたがって決定される基底周波数がｆ0のとき、前記２つの周波数ホッピング間隔は第１の周波数ホッピング間隔Δｆ1と第２の周波数ホッピング間隔Δｆ2とを含み、前記第１の周波数ホッピング間隔Δｆ1は前記第２の周波数ホッピング間隔Δｆ2未満であり、
前記第１の周波数はｆ0であり、前記第２の周波数は「ｆ0＋Δｆ1」であり、前記第３の周波数は「ｆ0＋Δｆ1＋Δｆ2」であり、前記第４の周波数は「ｆ0＋Δｆ2」であり、または、
前記第１の周波数はｆ0であり、前記第２の周波数は「ｆ0＋Δｆ1」であり、前記第３の周波数は「ｆ0＋Δｆ1−Δｆ2」であり、前記第４の周波数は「ｆ0−Δｆ2」であり、または、
前記第１の周波数はｆ0であり、前記第２の周波数は「ｆ0−Δｆ1」であり、前記第３の周波数は「ｆ0＋Δｆ2−Δｆ1」であり、前記第４の周波数は「ｆ0＋Δｆ2」であり、または、
前記第１の周波数はｆ0であり、前記第２の周波数は「ｆ0−Δｆ1」であり、前記第３の周波数は「ｆ0−Δｆ1−Δｆ2」であり、前記第４の周波数は「ｆ0−Δｆ2」である、データ送信方法。
【請求項２】
前記端末装置によって、前記基底周波数および前記２つの周波数ホッピング間隔にしたがって、ランダムアクセス信号を、前記ランダムアクセスチャネルを介して、前記基地局に送信する前記ステップの後に、前記方法はさらに、
前記端末装置によって、前記基地局によりフィードバックされる制御情報を受信するステップであって、前記制御情報は送信アドバンスを含み、前記送信アドバンスは、遅延推定値にしたがって前記基地局によって取得され、前記遅延推定値は、前記ランダムアクセス信号の間の位相差および前記２つの周波数ホッピング間隔にしたがって前記基地局によって取得される、ステップと、
前記端末装置によって、前記送信アドバンスにしたがってアップリンクデータを送信するステップとを含む、
請求項１に記載のデータ送信方法。
【請求項３】
端末装置によって、基地局により送信されるランダムアクセス設定情報を受信する前記ステップが、
前記端末装置によって、前記基地局によりブロードキャストまたは個別シグナリングの方式で送信される前記ランダムアクセス設定情報を受信することを含む、
請求項２に記載のデータ送信方法。
【請求項４】
基地局によって、ランダムアクセス設定情報を端末装置に送信するステップであって、前記ランダムアクセス設定情報は、周波数ホッピングパターン情報をさらに含み、前記周波数ホッピングパターン情報は、第１のタイムユニット内で第１の周波数を用いることによりランダムアクセス信号を送信すること、第２のタイムユニット内で第２の周波数を用いることによりランダムアクセス信号を送信すること、第３のタイムユニット内で第３の周波数を用いることによりランダムアクセス信号を送信すること、および第４のタイムユニット内で第４の周波数を用いることによりランダムアクセス信号を送信することを前記端末装置に対して指示するために用いられ、前記第１のタイムユニット、前記第２のタイムユニット、前記第３のタイムユニットおよび前記第４のタイムユニットは連続的または離散的なタイムユニットであり、前記第１の周波数、前記第２の周波数、前記第３の周波数および前記第４の周波数は、基底周波数および２つの周波数ホッピング間隔にしたがって決定される、ステップと、
前記基地局によって、ランダムアクセスチャネルを介して前記端末装置によって送信される前記ランダムアクセス信号を受信するステップと、
を含み、
前記ランダムアクセス設定情報にしたがって決定される前記基底周波数がｆ0のとき、前記２つの周波数ホッピング間隔は第１の周波数ホッピング間隔Δｆ1と第２の周波数ホッピング間隔Δｆ2とを含み、前記第１の周波数ホッピング間隔Δｆ1は前記第２の周波数ホッピング間隔Δｆ2未満であり、
前記第１の周波数はｆ0であり、前記第２の周波数は「ｆ0＋Δｆ1」であり、前記第３の周波数は「ｆ0＋Δｆ1＋Δｆ2」であり、前記第４の周波数は「ｆ0＋Δｆ2」であり、または、
前記第１の周波数はｆ0であり、前記第２の周波数は「ｆ0＋Δｆ1」であり、前記第３の周波数は「ｆ0＋Δｆ1−Δｆ2」であり、前記第４の周波数は「ｆ0−Δｆ2」であり、または、
前記第１の周波数はｆ0であり、前記第２の周波数は「ｆ0−Δｆ1」であり、前記第３の周波数は「ｆ0＋Δｆ2−Δｆ1」であり、前記第４の周波数は「ｆ0＋Δｆ2」であり、または、
前記第１の周波数はｆ0であり、前記第２の周波数は「ｆ0−Δｆ1」であり、前記第３の周波数は「ｆ0−Δｆ1−Δｆ2」であり、前記第４の周波数は「ｆ0−Δｆ2」である、データ送信方法。
【請求項５】
前記基底周波数および前記２つの周波数ホッピング間隔にしたがって前記ランダムアクセスチャネルを介して前記端末装置によって送信されるランダムアクセス信号を前記基地局によって受信する前記ステップの後で、前記方法が、
前記基地局によって、前記２つの周波数ホッピング間隔にしたがって少なくとも３つの対象ランダムアクセス信号を決定するステップと、
前記基地局によって、前記決定された対象ランダムアクセス信号にしたがって、前記対象ランダムアクセス信号の間の位相差を取得するステップと、
前記基地局によって、前記位相差に対応する対象遅延推定値を取得するステップと、
前記基地局によって、前記対象遅延推定値にしたがって送信アドバンスを決定するステップと、
前記基地局によって、制御情報を前記端末装置に送信するステップであって、前記制御情報は前記送信アドバンスを含むステップと、
をさらに含む、請求項４に記載のデータ送信方法。
【請求項６】
前記基地局によって、前記２つの周波数ホッピング間隔にしたがって少なくとも３つの対象ランダムアクセス信号を決定する前記ステップが、
前記基地局によって、第１ランダムアクセス信号、第２ランダムアクセス信号、第３ランダムアクセス信号および第４ランダムアクセス信号を前記対象ランダムアクセス信号として決定することを含み、
前記基地局によって受信された前記第１ランダムアクセス信号の周波数と前記基地局によって受信された前記第２ランダムアクセス信号の周波数との間の周波数ホッピング間隔が第１の周波数ホッピング間隔であり、
前記基地局によって受信された前記第３ランダムアクセス信号の周波数と前記基地局によって受信された前記第４ランダムアクセス信号の周波数との間の周波数ホッピング間隔が第２の周波数ホッピング間隔であり、
前記第２ランダムアクセス信号および前記第３ランダムアクセス信号は同一のランダムアクセス信号または異なるランダムアクセス信号であり、
前記基地局によって、前記決定された対象ランダムアクセス信号にしたがって、前記対象ランダムアクセス信号の間の位相差を取得する前記ステップが、
前記基地局によって、前記第１ランダムアクセス信号と前記第２ランダムアクセス信号との間の第１位相差を決定することと、前記第３ランダムアクセス信号と前記第４ランダムアクセス信号との間の第２位相差を決定することとを含み、
前記基地局によって、前記位相差に対応する対象遅延推定値を取得する前記ステップが、
前記基地局によって、前記第１位相差にしたがって、対応する第１遅延推定値Ｔcoarseを決定することと、前記第２位相差にしたがって、対応する第２遅延推定値Ｔfineを決定することと、
前記基地局によって、次式：
【数１】
0006588628.tif 000008
および
【数２】
0006588628.tif 000009
にしたがって、前記対象遅延推定値Ｔfinalを計算することと、を含み、Ｔstep＝１／Δｆ2であり、Ｚは整数の集合である、請求項５に記載のデータ送信方法。
【請求項７】
端末装置であって、
基地局によって送信されるランダムアクセス設定情報を受信するように構成された受信モジュールであって、前記ランダムアクセス設定情報は、周波数ホッピングパターン情報を含み、前記周波数ホッピングパターン情報は、前記端末装置がランダムアクセス信号を各タイムユニット内で送信するときに用いられる周波数を表すために用いられる、受信モジュールと、
前記受信モジュールによって受信される前記ランダムアクセス設定情報にしたがって、ランダムアクセスチャネル、基底周波数および２つの周波数ホッピング間隔を決定するように構成される、処理モジュールと、
前記受信モジュールによって受信された前記周波数ホッピングパターン情報にしたがって、ランダムアクセスチャネル上の第１のタイムユニット内で第１の周波数を用いることによりランダムアクセス信号を送信し、前記ランダムアクセスチャネル上の第２のタイムユニット内で第２の周波数を用いることによりランダムアクセス信号を送信し、前記ランダムアクセスチャネル上の第３のタイムユニット内で第３の周波数を用いることによりランダムアクセス信号を送信し、前記ランダムアクセスチャネル上の第４のタイムユニット内で第４の周波数を用いることによりランダムアクセス信号を送信する送信モジュールであって、前記第１のタイムユニット、前記第２のタイムユニット、前記第３のタイムユニットおよび前記第４のタイムユニットは連続的または離散的なタイムユニットであり、前記第１の周波数、前記第２の周波数、前記第３の周波数および前記第４の周波数は、前記基底周波数および前記２つの周波数ホッピング間隔にしたがって決定される、送信モジュールと、
を備え、
前記処理モジュールによって決定された前記基底周波数がｆ0のとき、前記処理モジュールによって決定された前記２つの周波数ホッピング間隔は第１の周波数ホッピング間隔Δｆ1と第２の周波数ホッピング間隔Δｆ2とを含み、前記第１の周波数ホッピング間隔Δｆ1は前記第２の周波数ホッピング間隔Δｆ2未満であり、
前記第１の周波数はｆ0であり、前記第２の周波数は「ｆ0＋Δｆ1」であり、前記第３の周波数は「ｆ0＋Δｆ1＋Δｆ2」であり、前記第４の周波数は「ｆ0＋Δｆ2」であり、または、
前記第１の周波数はｆ0であり、前記第２の周波数は「ｆ0＋Δｆ1」であり、前記第３の周波数は「ｆ0＋Δｆ1−Δｆ2」であり、前記第４の周波数は「ｆ0−Δｆ2」であり、または、
前記第１の周波数はｆ0であり、前記第２の周波数は「ｆ0−Δｆ1」であり、前記第３の周波数は「ｆ0＋Δｆ2−Δｆ1」であり、前記第４の周波数は「ｆ0＋Δｆ2」であり、または、
前記第１の周波数はｆ0であり、前記第２の周波数は「ｆ0−Δｆ1」であり、前記第３の周波数は「ｆ0−Δｆ1−Δｆ2」であり、前記第４の周波数は「ｆ0−Δｆ2」である、端末装置。
【請求項８】
前記受信モジュールがさらに、
前記基地局によってフィードバックされる制御情報を受信するように構成され、前記制御情報は送信アドバンスを含み、前記送信アドバンスは遅延推定値にしたがって前記基地局により取得され、前記遅延推定値は、前記送信モジュールによって送信される前記ランダムアクセス信号の間の位相差および前記処理モジュールによって決定された前記２つの周波数ホッピング間隔にしたがって前記基地局によって取得され、
前記送信モジュールがさらに、前記受信モジュールによって受信された前記送信アドバンスにしたがってアップリンクデータを送信するように構成されている、
請求項７に記載の端末装置。
【請求項９】
ランダムアクセス設定情報を端末装置に送信するように構成された送信モジュールであって、前記ランダムアクセス設定情報は、周波数ホッピングパターン情報を含み、前記周波数ホッピングパターン情報は、第１のタイムユニット内で第１の周波数を用いることによりランダムアクセス信号を送信すること、第２のタイムユニット内で第２の周波数を用いることによりランダムアクセス信号を送信すること、第３のタイムユニット内で第３の周波数を用いることによりランダムアクセス信号を送信すること、および第４のタイムユニット内で第４の周波数を用いることによりランダムアクセス信号を送信することを前記端末装置に対して指示するために用いられ、前記第１のタイムユニット、前記第２のタイムユニット、前記第３のタイムユニットおよび前記第４のタイムユニットは連続的または離散的なタイムユニットであり、前記第１の周波数、前記第２の周波数、前記第３の周波数および前記第４の周波数は、基底周波数および２つの周波数ホッピング間隔にしたがって決定される、送信モジュールと、
ランダムアクセスチャネルを介して送信される前記ランダムアクセス信号を受信するように構成された受信モジュールと、
を備え、
前記ランダムアクセス設定情報によって表される前記基底周波数がｆ0のとき、前記２つの周波数ホッピング間隔は第１の周波数ホッピング間隔Δｆ1と第２の周波数ホッピング間隔Δｆ2とを含み、前記第１の周波数ホッピング間隔Δｆ1は前記第２の周波数ホッピング間隔Δｆ2未満であり、
前記第１の周波数はｆ0であり、前記第２の周波数は「ｆ0＋Δｆ1」であり、前記第３の周波数は「ｆ0＋Δｆ1＋Δｆ2」であり、前記第４の周波数は「ｆ0＋Δｆ2」であり、または、
前記第１の周波数はｆ0であり、前記第２の周波数は「ｆ0＋Δｆ1」であり、前記第３の周波数は「ｆ0＋Δｆ1−Δｆ2」であり、前記第４の周波数は「ｆ0−Δｆ2」であり、または、
前記第１の周波数はｆ0であり、前記第２の周波数は「ｆ0−Δｆ1」であり、前記第３の周波数は「ｆ0＋Δｆ2−Δｆ1」であり、前記第４の周波数は「ｆ0＋Δｆ2」であり、または、
前記第１の周波数はｆ0であり、前記第２の周波数は「ｆ0−Δｆ1」であり、前記第３の周波数は「ｆ0−Δｆ1−Δｆ2」であり、前記第４の周波数は「ｆ0−Δｆ2」である、基地局。
【請求項１０】
前記基地局が処理モジュールをさらに備え、
前記処理モジュールが、
前記２つの周波数ホッピング間隔にしたがって少なくとも３つの対象ランダムアクセス信号を決定し、
前記決定された対象ランダムアクセス信号にしたがって前記対象ランダムアクセス信号の間の位相差を取得し、
前記位相差に対応する対象遅延推定値を取得し、
前記対象遅延推定値にしたがって送信アドバンスを決定する
ように構成されている、請求項９に記載の基地局。
【請求項１１】
前記送信モジュールがさらに、
制御情報を前記端末装置に送信するように構成され、前記制御情報は前記送信アドバンスを含む、請求項１０に記載の基地局。
【請求項１２】
前記処理モジュールが特に、
第１ランダムアクセス信号、第２ランダムアクセス信号、第３ランダムアクセス信号および第４ランダムアクセス信号を前記対象ランダムアクセス信号として決定し、
前記受信モジュールによって受信される前記第１ランダムアクセス信号の周波数と前記受信モジュールによって受信される前記第２ランダムアクセス信号の周波数との間の周波数ホッピング間隔が第１の周波数ホッピング間隔であり、
前記受信モジュールによって受信される前記第３ランダムアクセス信号の周波数と前記受信モジュールによって受信される前記第４ランダムアクセス信号の周波数との間の周波数ホッピング間隔が第２の周波数ホッピング間隔であり、
前記第２ランダムアクセス信号および前記第３ランダムアクセス信号は同一のランダムアクセス信号または異なるランダムアクセス信号であり、
前記第１ランダムアクセス信号と前記第２ランダムアクセス信号との間の第１位相差を判定し、前記第３ランダムアクセス信号と前記第４ランダムアクセス信号との間の第２位相差を判定し、
前記第１位相差にしたがって、対応する第１遅延推定値Ｔcoarse、を決定し、前記第２位相差にしたがって、対応する第２遅延推定値Ｔfineを決定し、次式：
【数３】
0006588628.tif 000010
および
【数４】
0006588628.tif 000011
にしたがって前記対象遅延推定値Ｔfinalを計算するように構成され、Ｔstep＝１／Δｆ2であり、Ｚは整数の集合である、
請求項１１に記載の基地局。
【請求項１３】
プログラムが記録されたコンピュータ読み取り可能な記憶媒体であって、前記プログラムは、コンピュータに請求項１ないし３、または４ないし６のいずれかに記載の方法を実行させる、コンピュータ読み取り可能な記憶媒体。
【発明の詳細な説明】
【技術分野】
【０００１】
本発明は通信分野に関し、特にデータ送信方法、基地局および端末装置に関する。
【背景技術】
【０００２】
モノのインターネットは認識、コンピューティング、実行および通信の具体的能力を有する様々なデバイスが物理的世界から情報を得るために配置されているネットワークであり、ネットワークは、人とモノとの間またはモノどうしの相互接続を実装するために、情報送信、調整および処理を実装するために利用される。簡潔にいうと、モノのインターネットは、人とモノとの間およびモノどうしの相互接続およびインターワーキングを実装することを意図している。モノのインターネットは、スマートグリッド、インテリジェント農業、インテリジェント輸送および環境モニタリングといった様々な分野に適用されることがある。
【０００３】
移動通信標準化機関３ＧＰＰ（第三世代パートナーシッププロジェクト、３ｒｄ  Ｇｅｎｅｒａｔｉｏｎ  Ｐａｒｔｎｅｒｓｈｉｐ  Ｐｒｏｊｅｃｔ）は、ＲＡＮにおけるナローバンドのモノのインターネットＮＢ−ＩｏＴの対象を提案している（全体会議＃６９）。シングルキャリア周波数分割多元接続ＳＣ−ＦＤＭＡ技術は、ＮＢ−ＩｏＴのアップリンクに用いられることを計画した。異なるユーザのアップリンクデータが互いに干渉をもたらすことを回避するように基地局側に同時に到達することができることを確保するには、ユーザは、アップリンクデータを送信する前にランダムアクセス手順を行う必要がある。具体的には、ユーザは、ランダムアクセスチャネルを介してランダムアクセス信号を送信する必要がある。
【０００４】
従来技術における、ランダムアクセスチャネルの構造が図１に示されている。ランダムアクセスチャネルにおいては、特定の期間がタイムユニットとして用いられ、２つの周波数ｆ0およびｆ1が用いられる。端末装置は、各タイムユニット内で１つの周波数だけを用いてランダムアクセス信号を送信し、次の隣接するタイムユニット内では別の周波数を用いてランダムアクセス信号を送信する。つまり、既存のランダムアクセスチャネルには１つの周波数ホッピング間隔「ｆ1−ｆ0」だけが存在する。したがって、実際の適用においては多くの制約がある。
【発明の概要】
【０００５】
本発明の実施形態の第１の態様は、データ送信方法を提供する。
【０００６】
端末装置は、基地局によって送信されたランダムアクセス設定情報を受信してもよい。端末装置は、ランダムアクセス設定情報にしたがって、ランダムアクセスチャネルと、基底周波数と、Ｎ個の周波数ホッピング間隔とを決定し、Ｎは２以上である。端末装置は、基地局によって送信されるランダムアクセス設定情報を、ランダムアクセス信号を送信する前に毎回受信する必要がなくてよいが、代わりに、以前に受信したランダムアクセス設定情報を用いることが理解されてもよい。
【０００７】
ランダムアクセス設定情報における周波数ホッピング間隔は実際の使用に応じて決定されてもよいが、少なくとも２つの周波数ホッピング間隔が必要である。
【０００８】
基底周波数およびＮ個の周波数ホッピング間隔を学習した後で、端末装置は、基底周波数および周波数ホッピング間隔にしたがって、各ランダムアクセス信号を送信するときに用いる周波数を決定してもよく、その結果、端末装置は、周波数を用いることにより、ランダムアクセス信号をランダムアクセスチャネルを介して基地局に送信してもよい。
【０００９】
本発明のこの実施形態においては、端末装置は、各タイムユニット内で１つの周波数だけを用いることによりランダムアクセス信号を送信し、次の隣接するタイムユニット内で別の周波数を用いることによりランダムアクセス信号を送信する。加えて、複数の周波数ホッピング間隔があり、つまり、端末装置は、基底周波数および複数の周波数ホッピング間隔にしたがってランダムアクセス信号を送信してもよい。実際の適用においては、柔軟性が比較的高い。
【００１０】
可能な設計においては、端末装置は、ランダムアクセス信号をシングルキャリア方式で送信してもよい。この方式においては、ランダムアクセス設定情報はさらに、
周波数ホッピングパターン情報を含んでいてもよく、周波数ホッピングパターン情報は、端末装置がランダムアクセス信号を各タイムユニット内で送信するときに用いられる周波数を表すために用いられ、つまり、周波数ホッピングパターン情報は、ランダムアクセス信号を送信するために用いられる時間および周波数を端末装置に通知するために用いられる。
【００１１】
周波数ホッピングパターン情報にしたがって、端末装置は、第１のタイムユニット内で第１の周波数を用いることによりランダムアクセス信号を送信し、第２のタイムユニット内で第２の周波数を用いることによりランダムアクセス信号を送信し、第３のタイムユニット内で第３の周波数を用いることによりランダムアクセス信号を送信し、第４のタイムユニット内で第４の周波数を用いることによりランダムアクセス信号を送信してもよい。
【００１２】
第１のタイムユニット、第２のタイムユニット、第３のタイムユニットおよび第４のタイムユニットは連続的または離散的なタイムユニットであってもよい。
【００１３】
第１の周波数、第２の周波数、第３の周波数および第４の周波数は、基底周波数およびＮ個の周波数ホッピング間隔にしたがって決定される。
【００１４】
可能な設計においては、基底周波数がｆ0のとき、Ｎ個の周波数ホッピング間隔は第１の周波数ホッピング間隔Δｆ1および第２の周波数ホッピング間隔Δｆ2を含み、第１の周波数ホッピング間隔Δｆ1は第２の周波数ホッピング間隔Δｆ2未満であり、
好ましくは、周波数ホッピングパターン情報によって表される第１の周波数、第２の周波数、第３の周波数および第４の周波数の値は特に、
第１の周波数はｆ0であり、第２の周波数は「ｆ0＋Δｆ2」であり、第３の周波数は「ｆ0＋Δｆ1」であり、第４の周波数は「ｆ0＋Δｆ1＋Δｆ2」であり、または、
第１の周波数はｆ0であり、第２の周波数は「ｆ0＋Δｆ2」であり、第３の周波数は「ｆ0−Δｆ1」であり、第４の周波数は「ｆ0＋Δｆ2−Δｆ1」であり、または、
第１の周波数はｆ0であり、第２の周波数は「ｆ0−Δｆ2」であり、第３の周波数は「ｆ0＋Δｆ1」であり、第４の周波数は「ｆ0＋Δｆ1−Δｆ2」であり、または、
第１の周波数はｆ0であり、第２の周波数は「ｆ0−Δｆ2」であり、第３の周波数は「ｆ0−Δｆ1」であり、第４の周波数は「ｆ0−Δｆ1−Δｆ2」であり、または、
第１の周波数はｆ0であり、第２の周波数は「ｆ0＋Δｆ1」であり、第３の周波数は「ｆ0＋Δｆ1＋Δｆ2」であり、第４の周波数は「ｆ0＋Δｆ2」であり、または、
第１の周波数はｆ0であり、第２の周波数は「ｆ0＋Δｆ1」であり、第３の周波数は「ｆ0＋Δｆ1−Δｆ2」であり、第４の周波数は「ｆ0−Δｆ2」であり、または、
第１の周波数はｆ0であり、第２の周波数は「ｆ0−Δｆ1」であり、第３の周波数は「ｆ0＋Δｆ2−Δｆ1」であり、第４の周波数は「ｆ0＋Δｆ2」であり、または、
第１の周波数はｆ0であり、第２の周波数は「ｆ0−Δｆ1」であり、第３の周波数は「ｆ0−Δｆ1−Δｆ2」であり、第４の周波数は「ｆ0−Δｆ2」であってよい。
【００１５】
任意選択的に、周波数ホッピングパターン情報によって表される第１の周波数、第２の周波数、第３の周波数および第４の周波数の値は、上述の内容において示された値に加えて、別のシングルキャリア周波数ホッピングパターンであってもよいが、端末装置が、ｆ0、Δｆ1およびΔｆ2にしたがってランダムアクセス信号を送信することができることが条件である。詳細はここでは説明しない。
【００１６】
本発明のこの実施形態においては、ｆ0、Δｆ1およびΔｆ2に基づいて、周波数ホッピングパターン情報は、シングルキャリアランダムアクセスチャネルを介して、複数の方式で、ランダムアクセス信号を送信することを端末装置に対して指示するのに用いられてもよい、つまり、ランダムアクセス信号を送信するための最適な周波数値を決定するための複数の選択肢が存在してもよく、それにより多様な解決策を拡充する。加えて、第１のタイムユニット、第２のタイムユニット、第３のタイムユニットおよび第４のタイムユニットが連続的なタイムユニットであるときに、端末装置によって送信されるランダムアクセス信号は、最短期間内においてΔｆ1およびΔｆ2を経験することがあり、その結果、Δｆ1およびΔｆ2の量は最大である、つまり、各ランダムアクセス信号は２つの周波数ホッピング間隔を経験することを可能とされてもよく、その結果、ランダムアクセス信号の利用効率は実際の適用において改善される。
【００１７】
可能な設計においては、端末装置は、マルチキャリア方式でランダムアクセス信号を送信してもよい。デュアルキャリア方式がここに例として用いられている。この方式においては、ランダムアクセス設定情報は、
周波数ホッピングパターン情報をさらに含んでよく、周波数ホッピングパターン情報は、端末装置がランダムアクセス信号を各タイムユニット内で送信するときに用いられる周波数を表すために用いられる。
【００１８】
周波数ホッピングパターン情報にしたがって、端末装置は、第１のタイムユニット内で第１の周波数および第２の周波数を用いることによりランダムアクセス信号を送信し、第２のタイムユニット内で第３の周波数および第４の周波数を用いることによりランダムアクセス信号を送信する。
【００１９】
第１のタイムユニットおよび第２のタイムユニットは連続的または離散的なタイムユニットである。
【００２０】
第１の周波数、第２の周波数、第３の周波数および第４の周波数は、基底周波数およびＮ個の周波数ホッピング間隔にしたがって決定される。
【００２１】
可能な設計においては、基底周波数がｆ0のとき、Ｎ個の周波数ホッピング間隔は第１の周波数ホッピング間隔Δｆ1および第２の周波数ホッピング間隔Δｆ2を含み、第１の周波数ホッピング間隔Δｆ1は第２の周波数ホッピング間隔Δｆ2未満であり、
好ましくは、周波数ホッピングパターン情報によって表される第１の周波数、第２の周波数、第３の周波数および第４の周波数の値は特に、
第１の周波数はｆ0であり、第２の周波数は「ｆ0＋Δｆ1」であり、第３の周波数は「ｆ0＋Δｆ2」であり、第４の周波数は「ｆ0＋Δｆ1＋Δｆ2」であり、または、
第１の周波数はｆ0であり、第２の周波数は「ｆ0＋Δｆ1」であり、第３の周波数は「ｆ0−Δｆ2」であり、第４の周波数は「ｆ0＋Δｆ1−Δｆ2」であり、または、
第１の周波数はｆ0であり、第２の周波数は「ｆ0−Δｆ1」であり、第３の周波数は「ｆ0＋Δｆ2−Δｆ1」であり、第４の周波数は「ｆ0＋Δｆ2」であり、または、
第１の周波数はｆ0であり、第２の周波数は「ｆ0−Δｆ1」であり、第３の周波数は「ｆ0−Δｆ2」であり、第４の周波数は「ｆ0−Δｆ2−Δｆ1」であり、または、
第１の周波数はｆ0であり、第２の周波数は「ｆ0＋Δｆ2」であり、第３の周波数は「ｆ0＋Δｆ1」であり、第４の周波数は「ｆ0＋Δｆ2＋Δｆ1」であり、または、
第１の周波数はｆ0であり、第２の周波数は「ｆ0−Δｆ2」であり、第３の周波数は「ｆ0＋Δｆ1」であり、第４の周波数は「ｆ0＋Δｆ1−Δｆ2」であり、または、
第１の周波数はｆ0であり、第２の周波数は「ｆ0＋Δｆ2」であり、第３の周波数は「ｆ0−Δｆ1」であり、第４の周波数は「ｆ0＋Δｆ2−Δｆ1」であり、または、
第１の周波数はｆ0であり、第２の周波数は「ｆ0−Δｆ2」であり、第３の周波数は「ｆ0−Δｆ1」であり、第４の周波数は「ｆ0−Δｆ2−Δｆ1」であってよい。
【００２２】
任意選択的に、周波数ホッピングパターン情報によって表される第１の周波数、第２の周波数、第３の周波数および第４の周波数の値は、上述の内容において示された値に加えて、別のデュアルキャリア周波数ホッピングパターンであってもよいが、端末装置が、ｆ0、Δｆ1およびΔｆ2にしたがってランダムアクセス信号を送信することができることが条件である。詳細はここでは説明しない。
【００２３】
同様に、本発明の実施形態の第１の態様においては、ｆ0、Δｆ1およびΔｆ2に基づいて、周波数ホッピングパターン情報は、ランダムアクセス信号をシングルキャリアランダムアクセスチャネルを介して送信することを端末装置に対して指示するために用いられてもよいだけでなく、ランダムアクセス信号をデュアルキャリアランダムアクセスチャネルを介して送信することを端末装置に対して指示するために用いられてもよい。第１のタイムユニットおよび第２のタイムユニットが連続的なタイムユニットであるときに、本発明の実施形態の第１の態様の第４の実装においては、端末装置によって送信されるランダムアクセス信号は、最短期間内においてΔｆ1およびΔｆ2を経験することがあり、その結果、Δｆ1およびΔｆ2の量は最大である、つまり、各ランダムアクセス信号は２つの周波数ホッピング間隔を経験することを可能とされてもよく、その結果、ランダムアクセス信号の利用効率は改善される。
【００２４】
可能な設計においては、基底周波数およびＮ個の周波数ホッピング間隔にしたがってランダムアクセス信号をランダムアクセスチャネルを介して基地局に送信した後で、端末装置は、基地局によってフィードバックされる制御情報をさらに受信してもよく、制御情報は送信アドバンスを含み、送信アドバンスは遅延推定値にしたがって基地局によって取得され、遅延推定値はランダムアクセス信号の間の位相差およびＮ個の周波数ホッピング間隔にしたがって基地局によって取得され、次に、端末装置は、送信アドバンスにしたがってアップリンクデータを送信する。
【００２５】
本発明のこの実施形態について、実際の適用においては、ユーザはアップリンクデータを送信する前にランダムアクセス手順を行う必要がある。具体的には、ユーザは、ランダムアクセス信号をランダムアクセスチャネルを介して送信する必要がある。基地局側は、ランダムアクセス信号を受信し、信号の伝搬時間を推定する。次に、基地局は、タイミングアドバンスを有するアップリンクデータを送信することをユーザに対して要求するために、制御情報をユーザに送信する。この場合、送信アドバンスは遅延推定値にしたがって基地局によって取得され、また、遅延推定値はランダムアクセス信号の間の位相差およびＮ個の周波数ホッピング間隔にしたがって基地局によって取得されるので、基地局は、送信アドバンスを決定するために、複数の位相差を用いることにより遅延推定値を計算してもよい。比較的大きな周波数ホッピング間隔が遅延推定値の精度を改善することがあり、また、比較的小さな周波数ホッピング間隔が基地局のカバレッジエリアを拡大させることがあるので、複数の周波数ホッピング間隔の方式がこの実施形態において用いられ、その結果実際の適用においては、カバレッジエリアおよび遅延推定値の精度の双方に対して考慮を与えることができる。
【００２６】
可能な設計においては、端末装置は、基地局によって送信されるランダムアクセス設定情報をブロードキャストまたは個別シグナリングの方式で受信してもよい。
【００２７】
本発明のこの実施形態においては、基地局は、複数のチャネルを利用することによりランダムアクセス設定情報を端末装置に送信してもよく、例えば、基地局は、ランダムアクセス設定情報をブロードキャストまたは個別シグナリングの方式で送信し、または、基地局は、別の送信チャネルを用いることによりランダムアクセス設定情報を送信する、つまり、基地局は、実際の適用状況に応じて最適な送信チャネルを選択してもよい。
【００２８】
本発明の実施形態の第２の態様は、データ送信方法を提供する。
【００２９】
基地局がランダムアクセス設定情報を端末装置に送信する。ランダムアクセス設定情報は、ランダムアクセスチャネル、基底周波数およびＮ個の周波数ホッピング間隔を表すために用いられ、Ｎは２以上である、つまり、ランダムアクセス設定情報における周波数ホッピング間隔は、実際の適用状況に応じて決定されてもよいが、少なくとも２つの周波数ホッピング間隔がある。
【００３０】
本発明のこの実施形態においては、端末装置は各タイムユニット内で１つの周波数だけを用いることによりランダムアクセス信号を送信し、次の隣接するタイムユニット内で別の周波数を用いることによりランダムアクセス信号を送信する。加えて、複数の周波数ホッピング間隔があり、つまり、端末装置は、基底周波数および複数の周波数ホッピング間隔にしたがってランダムアクセス信号を送信してもよい。実際の適用においては、柔軟性が比較的高い。
【００３１】
可能な設計においては、基地局は端末装置によってシングルキャリア方式で送信されるランダムアクセス信号を受信してもよい。この場合、ランダムアクセス設定情報は、
周波数ホッピングパターン情報をさらに含んでよく、周波数ホッピングパターン情報は、第１のタイムユニット内で第１の周波数を用いることによりランダムアクセス信号を送信し、第２のタイムユニット内で第２の周波数を用いることによりランダムアクセス信号を送信し、第３のタイムユニット内で第３の周波数を用いることによりランダムアクセス信号を送信し、第４のタイムユニット内で第４の周波数を用いることによりランダムアクセス信号を送信することを端末装置に対して指示するために用いられる、つまり、周波数ホッピングパターン情報は、ランダムアクセス信号を送信するために利用される時間および周波数を端末装置に通知するために用いられる。
【００３２】
第１のタイムユニット、第２のタイムユニット、第３のタイムユニットおよび第４のタイムユニットは連続的または離散的なタイムユニットである。
【００３３】
第１の周波数、第２の周波数、第３の周波数および第４の周波数は、基底周波数およびＮ個の周波数ホッピング間隔にしたがって決定される。
【００３４】
可能な設計においては、本発明の実施形態の第２の態様における第２の実装においては、基底周波数がｆ0のとき、Ｎ個の周波数ホッピング間隔は第１の周波数ホッピング間隔Δｆ1および第２の周波数ホッピング間隔Δｆ2を含み、第１の周波数ホッピング間隔Δｆ1は第２の周波数ホッピング間隔Δｆ2未満であり、
好ましくは、周波数ホッピングパターン情報によって表される第１の周波数、第２の周波数、第３の周波数および第４の周波数の値は特に、
第１の周波数はｆ0であり、第２の周波数は「ｆ0＋Δｆ2」であり、第３の周波数は「ｆ0＋Δｆ1」であり、第４の周波数は「ｆ0＋Δｆ1＋Δｆ2」であり、または、
第１の周波数はｆ0であり、第２の周波数は「ｆ0＋Δｆ2」であり、第３の周波数は「ｆ0−Δｆ1」であり、第４の周波数は「ｆ0＋Δｆ2−Δｆ1」であり、または、
第１の周波数はｆ0であり、第２の周波数は「ｆ0−Δｆ2」であり、第３の周波数は「ｆ0＋Δｆ1」であり、第４の周波数は「ｆ0＋Δｆ1−Δｆ2」であり、または、
第１の周波数はｆ0であり、第２の周波数は「ｆ0−Δｆ2」であり、第３の周波数は「ｆ0−Δｆ1」であり、第４の周波数は「ｆ0−Δｆ1−Δｆ2」であり、または、
第１の周波数はｆ0であり、第２の周波数は「ｆ0＋Δｆ1」であり、第３の周波数は「ｆ0＋Δｆ1＋Δｆ2」であり、第４の周波数は「ｆ0＋Δｆ2」であり、または、
第１の周波数はｆ0であり、第２の周波数は「ｆ0＋Δｆ1」であり、第３の周波数は「ｆ0＋Δｆ1−Δｆ2」であり、第４の周波数は「ｆ0−Δｆ2」であり、または、
第１の周波数はｆ0であり、第２の周波数は「ｆ0−Δｆ1」であり、第３の周波数は「ｆ0＋Δｆ2−Δｆ1」であり、第４の周波数は「ｆ0＋Δｆ2」であり、または、
第１の周波数はｆ0であり、第２の周波数は「ｆ0−Δｆ1」であり、第３の周波数は「ｆ0−Δｆ1−Δｆ2」であり、第４の周波数は「ｆ0−Δｆ2」であってよい。
【００３５】
任意選択的に、周波数ホッピングパターン情報によって表される第１の周波数、第２の周波数、第３の周波数および第４の周波数の値は、上述の内容において示された値に加えて、別のシングルキャリア周波数ホッピングパターンであってもよいが、端末装置が、ｆ0、Δｆ1およびΔｆ2にしたがってランダムアクセス信号を送信することができることが条件である。詳細はここでは説明しない。
【００３６】
本発明のこの実施形態においては、ｆ0、Δｆ1およびΔｆ2に基づいて、周波数ホッピングパターン情報は、ランダムアクセス信号を送信する複数の方式を表すために用いられてもよい、つまり、ランダムアクセス信号を送信するための最適な周波数値を決定するための複数の選択肢があってもよく、それにより多様な解決策を拡充する。加えて、第１のタイムユニット、第２のタイムユニット、第３のタイムユニットおよび第４のタイムユニットが連続的なタイムユニットであるときに、端末装置によって送信されるランダムアクセス信号はまた、最短期間内でΔｆ1およびΔｆ2を経験することがあり、その結果、Δｆ1およびΔｆ2の量は最大である、つまり、各ランダムアクセス信号は２つの周波数ホッピング間隔を経験することを可能とされることもあり、その結果、ランダムアクセス信号の利用効率は実際の適用において改善される。
【００３７】
可能な設計においては、基地局は、端末装置によってマルチキャリア方式で送信されるランダムアクセス信号を受信してもよい。デュアルキャリア方式がここに例として用いられている。この方式において、ランダムアクセス設定情報はさらに、
周波数ホッピングパターン情報を含んでよく、ホッピングパターン情報は、第１のタイムユニット内で第１の周波数および第２の周波数を用いることによりランダムアクセス信号を送信し、かつ、第２のタイムユニット内で第３の周波数および第４の周波数を用いることによりランダムアクセス信号を送信することを端末装置に対して指示するために用いられ、つまり、周波数ホッピングパターン情報は、ランダムアクセス信号を送信するために用いられる時間および周波数を端末装置に通知するために用いられる。
【００３８】
第１のタイムユニットおよび第２のタイムユニットは連続的または離散的なタイムユニットである。
【００３９】
第１の周波数、第２の周波数、第３の周波数および第４の周波数は、基底周波数およびＮ個の周波数ホッピング間隔にしたがって決定される。
【００４０】
可能な設計においては、基底周波数がｆ0のとき、Ｎ個の周波数ホッピング間隔は第１の周波数ホッピング間隔Δｆ1および第２の周波数ホッピング間隔Δｆ2を含み、第１の周波数ホッピング間隔Δｆ1は第２の周波数ホッピング間隔Δｆ2未満であり、
好ましくは、周波数ホッピングパターン情報によって表される第１の周波数、第２の周波数、第３の周波数および第４の周波数の値は特に、
第１の周波数はｆ0であり、第２の周波数は「ｆ0＋Δｆ1」であり、第３の周波数は「ｆ0＋Δｆ2」であり、第４の周波数は「ｆ0＋Δｆ1＋Δｆ2」であり、または、
第１の周波数はｆ0であり、第２の周波数は「ｆ0＋Δｆ1」であり、第３の周波数は「ｆ0−Δｆ2」であり、第４の周波数は「ｆ0＋Δｆ1−Δｆ2」であり、または、
第１の周波数はｆ0であり、第２の周波数は「ｆ0−Δｆ1」であり、第３の周波数は「ｆ0＋Δｆ2−Δｆ1」であり、第４の周波数は「ｆ0＋Δｆ2」であり、または、
第１の周波数はｆ0であり、第２の周波数は「ｆ0−Δｆ1」であり、第３の周波数は「ｆ0−Δｆ2」であり、第４の周波数は「ｆ0−Δｆ2−Δｆ1」であり、または、
第１の周波数はｆ0であり、第２の周波数は「ｆ0＋Δｆ2」であり、第３の周波数は「ｆ0＋Δｆ1」であり、第４の周波数は「ｆ0＋Δｆ2＋Δｆ1」であり、または、
第１の周波数はｆ0であり、第２の周波数は「ｆ0−Δｆ2」であり、第３の周波数は「ｆ0＋Δｆ1」であり、第４の周波数は「ｆ0＋Δｆ1−Δｆ2」であり、または、
第１の周波数はｆ0であり、第２の周波数は「ｆ0＋Δｆ2」であり、第３の周波数は「ｆ0−Δｆ1」であり、第４の周波数は「ｆ0＋Δｆ2−Δｆ1」であり、または、
第１の周波数はｆ0であり、第２の周波数は「ｆ0−Δｆ2」であり、第３の周波数は「ｆ0−Δｆ1」であり、第４の周波数は「ｆ0−Δｆ2−Δｆ1」であってよい。
【００４１】
任意選択的に、周波数ホッピングパターン情報によって表される第１の周波数、第２の周波数、第３の周波数および第４の周波数の値は、上述の内容において示された値に加えて、別のデュアルキャリア周波数ホッピングパターンであってもよいが、端末装置が、ｆ0、Δｆ1およびΔｆ2にしたがってランダムアクセス信号を送信することができることが条件である。詳細はここでは説明しない。
【００４２】
可能な設計においては、端末装置によってランダムアクセスチャネルを介して基底周波数およびＮ個の周波数ホッピング間隔にしたがって送信されるランダムアクセス信号を受信した後で、基地局は、Ｎ個の周波数ホッピング間隔にしたがって少なくとも３つの対象ランダムアクセス信号をさらに決定してもよい。次に、基地局は決定された対象ランダムアクセス信号にしたがって対象ランダムアクセス信号の間の位相差を取得し、次に、位相差に対応する対象遅延推定値を取得し、次に、対象遅延推定値にしたがって送信アドバンスを決定し、最終的に制御情報を端末装置に送信する。制御情報は、送信アドバンスを含む。
【００４３】
本発明のこの実施形態について、実際の適用においては、複数の周波数ホッピング間隔の方式がこの実施形態において用いられており、結果としてカバレッジエリアおよび遅延推定値の精度の双方に対して考慮を与えることができる。
【００４４】
可能な設計においては、基地局がＮ個の周波数ホッピング間隔にしたがって少なくとも３つの対象ランダムアクセス信号を決定してもよいということは、特に以下のとおりである。
【００４５】
基地局は、第１のランダムアクセス信号、第２のランダムアクセス信号、第３のランダムアクセス信号および第４のランダムアクセス信号を対象ランダムアクセス信号として決定する。
【００４６】
基地局によって受信された第１のランダムアクセス信号の周波数と基地局によって受信された第２のランダムアクセス信号の周波数との間の周波数ホッピング間隔は、第１の周波数ホッピング間隔である。
【００４７】
基地局によって受信された第３のランダムアクセス信号の周波数と基地局によって受信された第４のランダムアクセス信号の周波数との間の周波数ホッピング間隔は、第２の周波数ホッピング間隔である。
【００４８】
第２のランダムアクセス信号および第３のランダムアクセス信号は同一のランダムアクセス信号または異なるランダムアクセス信号である。
【００４９】
可能な設計においては、基地局が決定された少なくとも３つの対象ランダムアクセス信号にしたがって対象ランダムアクセス信号の間の位相差を取得することは、特に以下のとおりである。
【００５０】
基地局は、第１のランダムアクセス信号と第２のランダムアクセス信号との間の第１の位相差を決定し、第３のランダムアクセス信号と第４のランダムアクセス信号との間の第２の位相差を決定する。
【００５１】
基地局が位相差に対応する対象遅延推定値を取得することは、特に以下のとおりである。
【００５２】
基地局は、第１の位相差にしたがって、対応する第１の遅延推定値Ｔcoarseを決定し、第２の位相差にしたがって、対応する第２の遅延推定値Ｔfineを決定する。
【００５３】
好ましくは、基地局は、対象遅延推定値Ｔfinalを、次式：
【００５４】
【数１】
0006588628.tif 000002
【００５５】
および
【００５６】
【数２】
0006588628.tif 000003
【００５７】
にしたがって計算してもよく、
Ｔstep＝１／Δｆ2であり、Ｚは整数の集合である。
【００５８】
任意選択的に、基地局は、別の式にしたがって、第１の遅延推定値および第２の遅延推定値に基づいて対象遅延推定値を計算してもよい。詳細はここでは説明しない。
【００５９】
本発明の実施形態の第３の態様は、端末装置を提供する。端末装置は、上述の方法の設計における端末装置の挙動を実装する機能を有する。機能はハードウェアによって実装されてもよく、または、対応するソフトウェアを実行することによりハードウェアによって実装されてもよい。ハードウェアまたはソフトウェアは、上述の機能に対応する１つまたは複数のモジュールを含む。モジュールは、ソフトウェアおよび／またはハードウェアであってもよい。
【００６０】
可能な設計においては、端末装置の構造は、受信機と、送信機と、プロセッサとを含む。受信機は、基地局によって送信されるランダムアクセス設定情報を受信するように構成されている。プロセッサは、受信モジュールによって受信されたランダムアクセス設定情報にしたがって、ランダムアクセスチャネル、基底周波数およびＮ個の周波数ホッピング間隔を決定するように構成されており、Ｎは２以上である。送信機は、処理モジュールによって決定された基底周波数およびＮ個の周波数ホッピング間隔にしたがって、処理モジュールによって決定されたランダムアクセスチャネルを介して、ランダムアクセス信号を基地局に送信するように構成されている。
【００６１】
本発明の実施形態の第４の態様は、基地局を提供する。基地局は、上述の方法の設計における基地局の挙動を実装する機能を有する。機能はハードウェアによって実装されてもよく、または、対応するソフトウェアを実行することによりハードウェアによって実装されてもよい。ハードウェアまたはソフトウェアは、上述の機能に対応する１つまたは複数のモジュールを含む。
【００６２】
可能な設計においては、基地局の構造は、受信機と、プロセッサと、送信機とを含む。受信機および送信機は、上述の方法に含まれ、および、ＵＥによって送信される情報または命令を受信するために、基地局と端末装置との間の通信をサポートするように構成されている。プロセッサは、基地局が上述の方法における対応する機能を行うことを可能にするように構成されている。送信機は、上述の方法に含まれる情報または命令をＵＥに送信するために、基地局とＵＥとの間の通信をサポートするように構成されている。基地局はさらにメモリを含んでよい。メモリは、プロセッサに結合されるように構成され、基地局によって必要とされるプログラム命令およびデータを格納する。
【００６３】
従来技術と比較して、本発明において提供される解決策においては、端末装置は、基地局によって送信されたランダムアクセス設定情報を受信してもよく、ランダムアクセス設定情報は、基底周波数とＮ個の周波数ホッピング間隔とを含み、基底周波数およびＮ個の周波数ホッピング間隔にしたがってランダムアクセス信号をランダムアクセスチャネルを介して基地局に送信してもよい。つまり、シングル周波数ホッピング構造を有するランダムアクセスチャネルしかない従来技術とは異なり、本発明は、マルチ周波数ホッピング構造を有するランダムアクセスチャネルを提供する。実際の適用においては、従来技術において説明されたシングル周波数ホッピング構造を有するランダムアクセスチャネルと比較して、本発明において説明されるマルチ周波数ホッピング構造を有するランダムアクセスチャネルはより高い柔軟性を提供する。
【図面の簡単な説明】
【００６４】
【図１】従来技術におけるランダムアクセスの模式図である。
【図２】本発明の実施形態に係るネットワークシステムアーキテクチャの模式図である。
【図３】本発明の実施形態に係るデータ送信方法の実施形態の模式図である。
【図４】本発明の実施形態に係るシングルキャリア周波数ホッピングパターンの模式図である。
【図５】本発明の実施形態に係るシングルキャリア周波数ホッピングパターンの模式図である。
【図６】本発明の実施形態に係るシングルキャリア周波数ホッピングパターンの模式図である。
【図７】本発明の実施形態に係るシングルキャリア周波数ホッピングパターンの模式図である。
【図８】本発明の実施形態に係るシングルキャリア周波数ホッピングパターンの模式図である。
【図９】本発明の実施形態に係るシングルキャリア周波数ホッピングパターンの模式図である。
【図１０】本発明の実施形態に係るシングルキャリア周波数ホッピングパターンの模式図である。
【図１１】本発明の実施形態に係るシングルキャリア周波数ホッピングパターンの模式図である。
【図１２】本発明の実施形態に係るデータ送信方法の別の実施形態の模式図である。
【図１３】本発明の実施形態に係るデュアルキャリア周波数ホッピングパターンの模式図である。
【図１４】本発明の実施形態に係るデュアルキャリア周波数ホッピングパターンの模式図である。
【図１５】本発明の実施形態に係るデュアルキャリア周波数ホッピングパターンの模式図である。
【図１６】本発明の実施形態に係るデュアルキャリア周波数ホッピングパターンの模式図である。
【図１７】本発明の実施形態に係るデュアルキャリア周波数ホッピングパターンの模式図である。
【図１８】本発明の実施形態に係るデュアルキャリア周波数ホッピングパターンの模式図である。
【図１９】本発明の実施形態に係るデュアルキャリア周波数ホッピングパターンの模式図である。
【図２０】本発明の実施形態に係るデュアルキャリア周波数ホッピングパターンの模式図である。
【図２１】本発明の実施形態に係る端末装置の実施形態の模式図である。
【図２２】本発明の実施形態に係る端末装置の別の実施形態の模式図である。
【図２３】本発明の実施形態に係る端末装置の別の実施形態の模式図である。
【図２４】本発明の実施形態に係る端末装置の別の実施形態の模式図である。
【図２５】本発明の実施形態に係る基地局の実施形態の模式図である。
【図２６】本発明の実施形態に係る基地局の別の実施形態の模式図である。
【図２７】本発明の実施形態に係る基地局の別の実施形態の模式図である。
【図２８】本発明の実施形態に係る基地局の別の実施形態の模式図である。
【発明を実施するための形態】
【００６５】
本発明の実施形態は、データ送信方法、基地局および端末装置を提供し、その結果、カバレッジエリアおよび遅延推定値の精度の双方に対して考慮を与えることができる。
【００６６】
当業者に本発明における技術的解決策をより一層良好に理解させるため、以下、本発明の実施形態における技術的解決策を、本発明の実施形態における添付の図面を参照しつつ明確かつ完全に説明する。明らかに、記載された実施形態は本発明の実施形態のすべてというよりは一部にすぎない。本発明の実施形態に基づいて創作的な取り組みなしに当業者によって得られる他のすべての実施形態は本発明の保護範囲に含まれるべきである。
【００６７】
本発明の明細書、請求項および添付の図面においては、用語「第１の」、「第２の」、「第３の」、「第４の」等（存在する場合）は、類似の対象を区別することを意図したものであるが、必ずしも特定の順序や配列を表すわけではない。このようにして名称を付されたデータは適切な状況においては置き換え可能であり、したがってここに記載された実施形態はここに図示または記載された順序ではない他の順序で実装されることができることを理解すべきである。加えて、用語「を備える」、「を含む」およびそれらの派生形は、非排他的包含をカバーすることを意図しており、例えば、ステップまたはユニットのリストを含むプロセス、方法、システム、製品または装置は必ずしもそれらのステップまたはユニットに限定されるものではないが、明示的にリストに挙げられていない、またはそのようなプロセス、方法、システム、製品または装置に内在的な他のステップもしくはユニットを含んでいてもよい。
【００６８】
本発明は、主としてロングタームエボリューションＬＴＥシステムまたはロングタームエボリューションアドバンストＬＴＥ−Ａ（ＬＴＥ  Ａｄｖａｎｃｅｄ）システムに適用される。加えて、本発明はまた、別の通信システムに適用されてもよいが、情報を送信することがあるエンティティと情報を受信することがある別のエンティティとが通信システム内に存在していることが条件である。
【００６９】
図２に示すように、基地局および端末装置１ないし端末装置６は通信システムを形成する。通信システムにおいては、基地局および端末装置１ないし端末装置６は、相互にデータを送信してもよい。加えて、端末装置４ないし端末装置６も、通信システムを形成する。通信システムにおいては、端末装置５は、端末装置４ないし端末装置６のうちの１つまたは複数の端末装置に情報を送信してもよい。
【００７０】
前述した背景技術の部分において説明のための一例としてＬＴＥシステムが用いられているが、当業者は、本発明がＬＴＥシステムに適用されるだけではなく、移動体通信向けグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ，ＧＳＭ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ＵＭＴＳ）、符号分割多元接続（Ｃｏｄｅ  Ｄｉｖｉｓｉｏｎ  Ｍｕｌｔｉｐｌｅ  Ａｃｃｅｓｓ，ＣＤＭＡ）システムまたは新たなネットワークシステムのような別の無線通信システムにも適用されることがあることを学ぶはずである。以下、一例としてＬＴＥシステムを用いることにより具体的実施形態について説明する。
【００７１】
本発明のこの実施形態において言及される端末装置は、音声および／またはデータ接続をユーザに提供するデバイス、無線接続機能を有する携帯用機器または無線モデムに接続された別の処理装置であってもよい。無線端末は、無線アクセスネットワーク（ＲＡＮ）を利用して１つまたは複数のコアネットワークと通信を行ってもよい。無線端末は、携帯電話（「セルラー」フォンともいう）およびモバイル端末を有するコンピュータなどのモバイル端末であってもよく、例えば、無線端末は、音声および／またはデータを無線アクセスネットワークとやりとりするポータブル、ポケットサイズ、携帯型、コンピュータ組み込み型または車載モバイル装置であってもよい。例えば、それは、パーソナル通信サービス（ＰＣＳ，Ｐｅｒｓｏｎａｌ  Ｃｏｍｍｕｎｉｃａｔｉｏｎ  Ｓｅｒｖｉｃｅ）フォン、コードレス電話セット、セッションイニシエーションプロトコル（ＳＩＰ）フォン、ワイヤレスローカルループ（ＷＬＬ，Ｗｉｒｅｌｅｓｓ  Ｌｏｃａｌ  Ｌｏｏｐ）ステーションまたはパーソナルデジタルアシスタント（ＰＤＡ，Ｐｅｒｓｏｎａｌ  Ｄｉｇｉｔａｌ  Ａｓｓｉｓｔａｎｔ）のようなデバイスであってもよい。無線端末はまた、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、モバイルステーション（Ｍｏｂｉｌｅ  Ｓｔａｔｉｏｎ）、モバイル端末（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）またはユーザ機器（Ｕｓｅｒ  Ｅｑｕｉｐｍｅｎｔ）とよばれてもよい。
【００７２】
複数の端末装置がアップリンクデータを基地局に同時に送信するとき、相互に干渉がもたらされることがある。この観点において、移動通信標準化機関３ＧＰＰは、ＲＡＮにおけるナローバンドのモノのインターネットＮＢ−ＩｏＴの対象を提案している（全体会議＃６９）。周波数分割多元接続ＳＣ−ＦＤＭＡ技術は、ＮＢ−ＩｏＴのアップリンクに用いられることを計画した。この技術においては、異なる端末装置のアップリンクデータが互いに干渉をもたらすことを回避するように基地局側に同時に到達することができることを確保するために、ユーザは、アップリンクデータを送信する前にランダムアクセス手順を行う必要がある。具体的には、ユーザは、ランダムアクセスチャネルを介してランダムアクセス信号を送信する必要がある。
【００７３】
図２に示すように、端末装置１ないし端末装置６は各々、アップリンクデータを基地局に送信する必要がある。アップリンクデータを送信する前に、端末装置１ないし端末装置６は各々、ランダムアクセス手順を行う必要がある、つまり、端末装置１ないし端末装置６の各々がランダムアクセス信号を、ランダムアクセスチャネルを介して、基地局によって表されるランダムアクセス設定情報にしたがって送信する必要がある。基地局によって端末装置に送信されるランダムアクセス設定情報は、少なくとも２つの周波数ホッピング間隔があることを示す。
【００７４】
この実施形態においては、基地局は、単一のキャリアに基づいてランダムアクセス信号を送信するように端末装置に対して指示してもよい、または、複数のキャリアに基づいてランダムアクセス信号を送信するように端末装置に対して指示してもよい。以下、２つのケースについて別個に詳細に説明する。
【００７５】
Ｉ．基地局が、ランダムアクセス信号を単一のキャリアに基づいて送信するように端末装置に対して指示する。
【００７６】
図３を参照すると、本発明の実施形態におけるデータ送信方法の実施形態は、以下のステップを含む。
【００７７】
３０１．基地局が、ランダムアクセス設定情報を端末装置に送信する。
【００７８】
この実施形態においては、ランダムアクセス設定情報を生成した後で、基地局は、ランダムアクセス設定情報を端末装置に送信し、その結果、端末装置は、ランダムアクセス信号をランダムアクセス設定情報にしたがって送信する。
【００７９】
基地局がランダムアクセス設定情報をブロードキャストまたは個別シグナリングの方式で端末装置に送信してもよく、または、別の方式でランダムアクセス設定情報を端末装置に送信してもよいことが理解され得る。これはここでは具体的に限定されない。
【００８０】
ランダムアクセス設定情報は、ランダムアクセスチャネルと、基底周波数ｆ0と、Ｎ個の周波数ホッピング間隔とを表すために用いられ、Ｎは２以上である。
【００８１】
実際の適用においては、上述のパラメータに加えて、ランダムアクセス設定情報はさらに、以下のパラメータの少なくとも１つを含んでもよい。
パラメータ１：ランダムアクセスチャネルフォーマット
パラメータ２：サブキャリアスペーシング
パラメータ３：基本タイムユニットＴhopの期間
パラメータ４：ランダムアクセスチャネルの総期間または基本タイムユニットＴhopの量、または、
パラメータ５：周波数ホッピングパターン情報。
【００８２】
ランダムアクセスチャネルフォーマットは、端末装置がランダムアクセス信号をシングル周波数ホッピング間隔の方式で、またはマルチ周波数ホッピング間隔の方式で送信するかを示すために用いられる。
【００８３】
ランダムアクセスチャネルフォーマットが端末装置がシングル周波数ホッピング間隔の方式においてランダムアクセス信号を送信することを表す場合、端末装置がランダムアクセス信号を送信する方式は既存の方式と同一であり、本発明のこの実施形態に関係する範囲内には入らないものであることに留意すべきである。
【００８４】
サブキャリアスペーシングΔｆは、特定のランダムアクセスチャネルの基本パラメータにしたがって決定され、一般的には１５ＫＨｚであり、または別の値、例えば、３．７５ＫＨｚであってもよい。これはここでは具体的に限定されない。
【００８５】
基本タイムユニットＴhopの期間は、１つのタイムユニットの特定の期間を表すために用いられる。このパラメータはランダムアクセスチャネルの基本パラメータと関連しており、ここでは具体的に限定されない。
【００８６】
ランダムアクセスチャネルの総期間または基本タイムユニットＴhopの量は、端末装置がランダムアクセス信号を送信する必要がある特定の期間またはタイムユニットの特定の量を表すために用いられる。このパラメータは、ランダムアクセスチャネルの基本パラメータと関連しており、ここでは具体的に限定されない。
【００８７】
周波数ホッピングパターン情報は、端末装置がランダムアクセス信号を各タイムユニット内で送信するときに用いられる周波数を表すために用いられ、具体的には複数の形式におけるものであってもよい。
【００８８】
この実施形態においては、ランダムアクセス設定情報は、Ｎ個の周波数ホッピング間隔を複数の方式で示してもよく、例えば、ランダムアクセス設定情報は、Ｎ個の周波数ホッピング間隔の値を直接的に保持しており、または、Ｎ個の周波数の値と基底周波数の値との差分にしたがってＮ個の周波数ホッピング間隔を決定するためにＮ個の周波数の値を保持している。代替的には、Ｎ個の周波数ホッピング間隔は、別の方式で示されてもよい。これはここでは具体的に限定されない。
【００８９】
加えて、Ｎ個の周波数ホッピング間隔は特定の値であってもよく、または、特定の複数のサブキャリアスペーシングΔｆであってもよい。具体的な形式はここでは限定されない。
【００９０】
本発明のこの実施形態の説明の便宜上、シングルキャリアおよびデュアル周波数ホッピング間隔がこの実施形態における説明のための例として用いられている。デュアル周波数ホッピング間隔は、第１の周波数ホッピング間隔Δｆ1および第２の周波数ホッピング間隔Δｆ2であり、Δｆ1はΔｆ2未満である。
【００９１】
基底周波数ｆ0、Δｆ1およびΔｆ2に基づいて、特定の周波数ホッピングパターン情報は複数の形式におけるものであってもよい。以下、説明のため幾つかの具体的な例を用いる。図４ないし図１１は、８つの比較的共通の周波数ホッピングパターンを示している。
【００９２】
図４における周波数ホッピングパターンは、ランダムアクセス信号をタイムユニットｔ1内でｆ0を用いることにより送信し、ランダムアクセス信号をタイムユニットｔ2内で「ｆ0＋Δｆ2」を用いることにより送信し、ランダムアクセス信号をタイムユニットｔ3内で「ｆ0＋Δｆ1」を用いることにより送信し、ランダムアクセス信号をタイムユニットｔ4内で「ｆ0＋Δｆ1＋Δｆ2」を用いることにより送信することを端末装置に対して指示するために用いられる。
【００９３】
図５における周波数ホッピングパターンは、ランダムアクセス信号をタイムユニットｔ1内でｆ0を用いることにより送信し、ランダムアクセス信号をタイムユニットｔ2内で「ｆ0＋Δｆ2」を用いることにより送信し、ランダムアクセス信号をタイムユニットｔ3内で「ｆ0−Δｆ1」を用いることにより送信し、ランダムアクセス信号をタイムユニットｔ4内で「ｆ0＋Δｆ2−Δｆ1」を用いることにより送信することを端末装置に対して指示するために用いられる。
【００９４】
図６における周波数ホッピングパターンは、ランダムアクセス信号をタイムユニットｔ1内でｆ0を用いることにより送信し、ランダムアクセス信号をタイムユニットｔ2内で「ｆ0−Δｆ2」を用いることにより送信し、ランダムアクセス信号をタイムユニットｔ3内で「ｆ0＋Δｆ1」を用いることにより送信し、ランダムアクセス信号をタイムユニットｔ4内で「ｆ0＋Δｆ1−Δｆ2」を用いることにより送信することを端末装置に対して指示するために用いられる。
【００９５】
図７における周波数ホッピングパターンは、ランダムアクセス信号をタイムユニットｔ1内でｆ0を用いることにより送信し、ランダムアクセス信号をタイムユニットｔ2内で「ｆ0−Δｆ2」を用いることにより送信し、ランダムアクセス信号をタイムユニットｔ3内で「ｆ0−Δｆ1」を用いることにより送信し、ランダムアクセス信号をタイムユニットｔ4内で「ｆ0−Δｆ1−Δｆ2」を用いることにより送信することを端末装置に対して指示するために用いられる。
【００９６】
図８における周波数ホッピングパターンは、ランダムアクセス信号をタイムユニットｔ1内でｆ0を用いることにより送信し、ランダムアクセス信号をタイムユニットｔ2内で「ｆ0＋Δｆ1」を用いることにより送信し、ランダムアクセス信号をタイムユニットｔ3内で「ｆ0＋Δｆ1＋Δｆ2」を用いることにより送信し、ランダムアクセス信号をタイムユニットｔ4内で「ｆ0＋Δｆ2」を用いることにより送信することを端末装置に対して指示するために用いられる。
【００９７】
図９における周波数ホッピングパターンは、ランダムアクセス信号をタイムユニットｔ1内でｆ0を用いることにより送信し、ランダムアクセス信号をタイムユニットｔ2内で「ｆ0＋Δｆ1」を用いることにより送信し、ランダムアクセス信号をタイムユニットｔ3内で「ｆ0＋Δｆ1−Δｆ2」を用いることにより送信し、ランダムアクセス信号をタイムユニットｔ4内で「ｆ0−Δｆ2」を用いることにより送信することを端末装置に対して指示するために用いられる。
【００９８】
図１０における周波数ホッピングパターンは、ランダムアクセス信号をタイムユニットｔ1内でｆ0を用いることにより送信し、ランダムアクセス信号をタイムユニットｔ2内で「ｆ0−Δｆ1」を用いることにより送信し、ランダムアクセス信号をタイムユニットｔ3内で「ｆ0＋Δｆ2−Δｆ1」を用いることにより送信し、ランダムアクセス信号をタイムユニットｔ4内で「ｆ0＋Δｆ2」を用いることにより送信することを端末装置に対して指示するために用いられる。
【００９９】
図１１における周波数ホッピングパターンは、ランダムアクセス信号をタイムユニットｔ1内でｆ0を用いることにより送信し、ランダムアクセス信号をタイムユニットｔ2内で「ｆ0−Δｆ1」を用いることにより送信し、ランダムアクセス信号をタイムユニットｔ3内で「ｆ0−Δｆ1−Δｆ2」を用いることにより送信し、ランダムアクセス信号をタイムユニットｔ4内で「ｆ0−Δｆ2」を用いることにより送信することを端末装置に対して指示するために用いられる。
【０１００】
上述した８つの周波数ホッピングパターンにおいては、ｔ1、ｔ2、ｔ3およびｔ4は連続したタイムユニットであり、それにより、端末装置によって送信されるランダムアクセス信号は最短期間内においてΔｆ1およびΔｆ2を経験することがあり、その結果、Δｆ1およびΔｆ2の量は最大である。つまり、このようにして、各ランダムアクセス信号は、可能なかぎり２つの周波数ホッピング間隔を経験することを可能とされていてもよく、したがって、各周波数ホッピング間隔に対応する遅延の推定計算において用いられてもよく、これにより、ランダムアクセス信号の利用効率が改善される。タイムユニットｔ4の後の４つの連続したタイムユニットにおいては、ｔ5およびｔ1内において用いられる周波数が同一であり、ｔ6およびｔ2内において用いられる周波数が同一であり、ｔ7およびｔ3内において用いられる周波数が同一であり、ｔ8およびｔ4内において用いられる周波数が同一である。類推により、４つのタイムユニットは、ランダムアクセス信号を送信するための１サイクルとして用いられる。詳細はここでは説明しない。
【０１０１】
代替的には、タイムユニットｔ4の後の４つの連続したタイムユニット内で用いられる周波数は、ｔ1、ｔ2、ｔ3およびｔ4内において用いられる周波数と同一ではなくてもよいことに留意すべきである。これはここでは具体的に限定されない。
【０１０２】
実際の適用においては、代替的には、ｔ1、ｔ2、ｔ3およびｔ4は離散的なタイムユニットに設定されてもよく、または、より多いまたはより少ないタイムユニットが含まれてもよいが、端末装置がｆ0、Δｆ1およびΔｆ2にしたがってランダムアクセス信号を送信することができることが条件であることが理解され得る。これはここでは具体的に限定されない。
【０１０３】
上述の８つの周波数ホッピングパターンに加えて、実際の適用においては、より多くの周波数ホッピングパターンがさらに設計されてもよいが、端末装置がｆ0、Δｆ1およびΔｆ2にしたがってランダムアクセス信号を送信することができることが条件であることに留意すべきである。これはここでは具体的に限定されない。
【０１０４】
３０２．端末装置は、ランダムアクセス信号を基地局に送信する。
【０１０５】
この実施形態においては、基地局により送信されるランダムアクセス設定情報を受信した後で、端末装置は、基底周波数ｆ0、第１の周波数ホッピング間隔Δｆ1および第２の周波数ホッピング間隔Δｆ2を読み取ってもよく、ステップ３０１において説明したパラメータ１ないしパラメータ５をさらに学習してもよい。
【０１０６】
端末装置は、ランダムアクセス設定情報によって表されるように、図４ないし図１１における周波数ホッピングパターンのうちのいずれか１つにしたがって、ランダムアクセス信号を基地局に送信してもよい。
【０１０７】
３０３．基地局が、端末装置によって送信されたランダムアクセス信号にしたがって対象ランダムアクセス信号を決定する。
【０１０８】
ランダムアクセス信号を端末装置から受信した後で、基地局は、Δｆ1およびΔｆ2にしたがって、ランダムアクセス信号のうちの対象ランダムアクセス信号を決定してもよい。
【０１０９】
少なくとも３つの対象ランダムアクセス信号が必要とされることに留意すべきである。本発明のこの実施形態において提供される技術的解決策をよりよく説明するために、以下では、４つの対象ランダムアクセス信号を説明のための例として利用する。対象ランダムアクセス信号は、第１のランダムアクセス信号と、第２のランダムアクセス信号と、第３のランダムアクセス信号と、第４のランダムアクセス信号とを含む。
【０１１０】
第１のランダムアクセス信号を送信するために端末装置によって用いられる周波数と第２のランダムアクセス信号を送信するために端末装置によって用いられる周波数との周波数ホッピング間隔はΔｆ1であり、第３のランダムアクセス信号を送信するために端末装置によって用いられる周波数と第４のランダムアクセス信号を送信するために端末装置によって用いられる周波数との周波数ホッピング間隔はΔｆ2である。
【０１１１】
第２のランダムアクセス信号および第３のランダムアクセス信号は、同一のランダムアクセス信号であってもよく、または、異なるランダムアクセス信号であってもよいことが理解されてもよい。これはここでは具体的に限定されない。
【０１１２】
つまり、対象ランダムアクセス信号を選択するときに、基地局は、ランダムアクセス信号を送信するために端末装置によって用いられる周波数の間の差分、つまり周波数ホッピング間隔を考慮する必要があり、Δｆ1およびΔｆ2にしたがって対象ランダムアクセス信号を決定する必要がある。
【０１１３】
この実施形態においては、基地局は、端末装置によって用いられる周波数ホッピングパターンをまず決定し、次に、Δｆ1およびΔｆ2にしたがって対象ランダムアクセス信号を決定してもよい。以下では説明のため幾つかの例を用いる。
【０１１４】
端末装置によって利用される周波数ホッピングパターンは、図４に示す周波数ホッピングパターンであると仮定する。この場合、基地局によって決定され得る対象ランダムアクセス信号は以下のとおりである。
第１のランダムアクセス信号は、周波数「ｆ0＋Δｆ1」でのランダムアクセス信号であり、
第２のランダムアクセス信号は、周波数ｆ0でのランダムアクセス信号であり、
第３のランダムアクセス信号は、また、周波数ｆ0でのランダムアクセス信号であり、
第４のランダムアクセス信号は、周波数「ｆ0＋Δｆ2」でのランダムアクセス信号であり、または、
第１のランダムアクセス信号は、周波数「ｆ0＋Δｆ1＋Δｆ2」でのランダムアクセス信号であり、
第２のランダムアクセス信号は、周波数「ｆ0＋Δｆ2」でのランダムアクセス信号であり、
第３のランダムアクセス信号はまた、周波数「ｆ0＋Δｆ2」でのランダムアクセス信号であり、
第４のランダムアクセス信号は、周波数ｆ0でのランダムアクセス信号である。
【０１１５】
代替的には、より多くの決定方式があってもよいが、第１のランダムアクセス信号を送信するために端末装置によって用いられる周波数と、第２のランダムアクセス信号を送信するために端末装置によって用いられる周波数との間の周波数ホッピング間隔がΔｆ1であり、第３のランダムアクセス信号を送信するために端末装置によって用いられる周波数と第４のランダムアクセス信号を送信するために端末装置によって用いられる周波数との間の周波数ホッピング間隔がΔｆ2であることが条件である。これはここでは具体的に限定されない。
【０１１６】
別の周波数ホッピングパターンにおいては、基地局が対象ランダムアクセス信号を決定する方式は類似したものである。詳細についてはここでは再度説明しない。
【０１１７】
３０４．基地局が対象ランダムアクセス信号の間の位相差を取得する。
【０１１８】
本発明のこの実施形態においては、基地局が、対象ランダムアクセス信号を決定した後で対象ランダムアクセス信号にしたがってランダムアクセス信号の間の位相差を決定してもよいということは、具体的には以下のとおりである。
基地局は、第１のランダムアクセス信号と第２のランダムアクセス信号との間の第１の位相差を決定してもよく、
基地局は、第３のランダムアクセス信号と第４のランダムアクセス信号との間の第２の位相差を決定してもよい。
【０１１９】
３０５．基地局が位相差に対応する対象遅延推定値Ｔfinalを取得する。
【０１２０】
本発明のこの実施形態においては、基地局が、第１の位相差と第２の位相差とを決定した後で２つの位相差にしたがう計算によって、対応する対象遅延推定値を取得してもよいということは、具体的には以下のとおりである。
【０１２１】
基地局は、第１の位相差にしたがって、対応する第１の遅延推定値Ｔcoarseを決定し、
基地局は、第２の位相差にしたがって、対応する第２の遅延推定値Ｔfineを決定する。
【０１２２】
具体的には、基地局は、θ＝２π・Δｆ・Ｔを用いてランダムアクセス信号の遅延推定値を推定してもよく、θは位相差であり、θ∈［０，２π）であり、Ｔは遅延であり、Δｆは周波数ホッピング間隔である。
【０１２３】
計算によりＴfineおよびＴcoarseを取得した後で、基地局は、次式：
【０１２４】
【数３】
0006588628.tif 000004
【０１２５】
および
【０１２６】
【数４】
0006588628.tif 000005
【０１２７】
にしたがって対象遅延推定値Ｔfinalを計算する。Ｔstep＝１／Δｆ2であり、Ｚは整数の集合である。
【０１２８】
式（２）は、｜Ｔcoarse−（Ｔfine＋ｋＴstep）｜が最小化されたときのｋの値を計算するために用いられる。
【０１２９】
上述の式にしたがって対象遅延推定値を計算することに加えて、基地局は、ＴfineおよびＴcoarseに基づいて、別の計算式にしたがって対象遅延推定値をさらに計算してもよいことに留意すべきである。これはここでは具体的に限定されない。
【０１３０】
３０６．基地局が対象遅延推定値Ｔfinalにしたがって送信アドバンスＸを決定する。
【０１３１】
基地局は、対象遅延推定値Ｔfinalにしたがって送信アドバンスＸを決定してもよい。送信アドバンスＸ＝Ｔfinal／２であることに留意すべきであり、送信アドバンスＸと対象遅延推定値Ｔfinalとの関係は別の関数によって表現されてもよいことに留意すべきである。これはここでは具体的に限定されない。
【０１３２】
３０７．基地局が制御情報を端末装置に送信する。
【０１３３】
基地局は、制御情報を端末装置に送信してもよい。送信アドバンスＸにしたがってアップリンクデータを基地局に送信することを端末装置に対して指示するために、制御情報は決定された送信アドバンスＸを含むことに留意すべきである。
３０８．端末装置が送信アドバンスＸにしたがってアップリンクデータを送信する。
【０１３４】
基地局によって送信された制御情報を受信した後で、端末装置は、送信アドバンスＸに従ってアップリンクデータを基地局に送信してもよい。
【０１３５】
本発明のこの実施形態においては、シングルキャリアおよびデュアル周波数ホッピング間隔が説明のための例として用いられている。端末装置は、基地局により送信されるランダムアクセス設定情報を受信してもよい。ランダムアクセス設定情報は、基底周波数ｆ0と、周波数ホッピング間隔Δｆ1およびΔｆ2とを含む。ランダムアクセス設定情報は、周波数ホッピングパターン情報をさらに含んでおり、これは、端末装置がランダムアクセス信号を送信するときに用いられる特定の周波数を表すために用いられる。次に、端末は、上述の８つの周波数ホッピングパターンによって表されるように、ランダムアクセス信号をランダムアクセスチャネルを介して基地局に送信してもよい。本発明のこの実施形態については、実際の適用においては、ユーザはアップリンクデータを送信する前にランダムアクセス手順を行う必要がある。具体的には、ユーザは、ランダムアクセス信号をランダムアクセスチャネルを介して送信する必要がある。基地局側は、ランダムアクセス信号を受信し、信号の伝搬時間を推定する。次に、基地局は、タイミングアドバンスを有するアップリンクデータを送信することをユーザに対して要求するために、制御情報をユーザに送信する。この場合、送信アドバンスＸは、対象遅延推定値Ｔfinalにしたがって基地局により取得され、対象遅延推定値Ｔfinalは、ランダムアクセス信号の間の位相差にしたがって基地局により取得される、つまり、基地局は、送信アドバンスを決定するために複数の位相差を用いることにより遅延推定値を計算してもよい。比較的大きな周波数ホッピング間隔は、遅延推定値の精度を改善し得るし、比較的小さな周波数ホッピング間隔は、基地局のカバレッジエリアを拡大し得る。したがって、この実施形態における複数の周波数ホッピング間隔の使用された態様においては、実際の適用においてカバレッジエリアと遅延推定値の精度との双方に対して考慮を与えることができる。
【０１３６】
実際の適用においては、単一のキャリアを利用して、ランダムアクセス信号を送信することに加えて、端末装置は、ランダムアクセス信号をマルチキャリア方式でさらに送信してもよい。説明は以下のとおりである。
【０１３７】
ＩＩ．基地局が、複数のキャリアに基づいてランダムアクセス信号を送信することを端末装置に対して指示する。
【０１３８】
図１２を参照すると、本発明の実施形態におけるデータ送信方法の実施形態は、以下のステップを含む。
【０１３９】
１２０１．基地局がランダムアクセス設定情報を端末装置に送信する。
【０１４０】
この実施形態においては、ランダムアクセス設定情報におけるパラメータ１ないしパラメータ４は図３に示す実施形態におけるパラメータ１ないしパラメータ４と同一である。詳細についてはここでは再度説明しない。
【０１４１】
デュアルキャリアおよびデュアル周波数ホッピング間隔は、この実施形態における説明のための例として用いられている。デュアル周波数ホッピング間隔は、第１の周波数ホッピング間隔Δｆ1および第２の周波数ホッピング間隔Δｆ2であり、Δｆ1はΔｆ2未満である。
【０１４２】
基底周波数ｆ0、Δｆ1およびΔｆ2に基づいて、特定の周波数ホッピングパターン情報は、複数の形式におけるものであってもよい。以下では説明のため幾つかの具体例を用いる。図１３ないし図２０は、８つの比較的共通の周波数ホッピングパターンを示している。
【０１４３】
図１３における周波数ホッピングパターンは、ランダムアクセス信号をタイムユニットｔ1内でｆ0および「ｆ0＋Δｆ1」を用いることにより送信し、ランダムアクセス信号をタイムユニットｔ2内で「ｆ0＋Δｆ2」および「ｆ0＋Δｆ1＋Δｆ2」を用いることにより送信することを端末装置に対して指示するために用いられる。
【０１４４】
図１４における周波数ホッピングパターンは、ランダムアクセス信号をタイムユニットｔ1内でｆ0および「ｆ0＋Δｆ1」を用いることにより送信し、ランダムアクセス信号をタイムユニットｔ2内で「ｆ0−Δｆ2」および「ｆ0＋Δｆ1−Δｆ2」を用いることにより送信することを端末装置に対して指示するために用いられる。
【０１４５】
図１５における周波数ホッピングパターンは、ランダムアクセス信号をタイムユニットｔ1内でｆ0および「ｆ0−Δｆ1」を用いることにより送信し、ランダムアクセス信号をタイムユニットｔ2内で「ｆ0＋Δｆ2−Δｆ1」および「ｆ0＋Δｆ2」を用いることにより送信することを端末装置に対して指示するために用いられる。
【０１４６】
図１６における周波数ホッピングパターンは、ランダムアクセス信号をタイムユニットｔ1内でｆ0および「ｆ0−Δｆ1」を用いることにより送信し、ランダムアクセス信号をタイムユニットｔ2内で「ｆ0−Δｆ2」および「ｆ0−Δｆ2−Δｆ1」を用いることにより送信することを端末装置に対して指示するために用いられる。
【０１４７】
図１７における周波数ホッピングパターンは、ランダムアクセス信号をタイムユニットｔ1内でｆ0および「ｆ0＋Δｆ2」を用いることにより送信し、ランダムアクセス信号をタイムユニットｔ2内で「ｆ0＋Δｆ1」および「ｆ0＋Δｆ2＋Δｆ1」を用いることにより送信することを端末装置に対して指示するために用いられる。
【０１４８】
図１８における周波数ホッピングパターンは、ランダムアクセス信号をタイムユニットｔ1内でｆ0および「ｆ0−Δｆ2」を用いることにより送信し、ランダムアクセス信号をタイムユニットｔ2内で「ｆ0＋Δｆ1」および「ｆ0＋Δｆ1−Δｆ2」を用いることにより送信することを端末装置に対して指示するために用いられる。
【０１４９】
図１９における周波数ホッピングパターンは、ランダムアクセス信号をタイムユニットｔ1内でｆ0および「ｆ0＋Δｆ2」を用いることにより送信し、ランダムアクセス信号をタイムユニットｔ2内で「ｆ0−Δｆ1」および「ｆ0＋Δｆ2−Δｆ1」を用いることにより送信することを端末装置に対して指示するために用いられる。
【０１５０】
図２０における周波数ホッピングパターンは、ランダムアクセス信号をタイムユニットｔ1内でｆ0および「ｆ0−Δｆ2」を用いることにより送信し、ランダムアクセス信号をタイムユニットｔ2内で「ｆ0−Δｆ1」および「ｆ0−Δｆ2−Δｆ1」を用いることにより送信することを端末装置に対して指示するために用いられる。
【０１５１】
上述した８つの周波数ホッピングパターンにおいては、ｔ1およびｔ2は連続したタイムユニットであり、その結果端末装置によって送信されるランダムアクセス信号は最短期間内にΔｆ1およびΔｆ2を経験することがあり、したがって、最大量のΔｆ1およびΔｆ2がある。つまり、このようにして、各ランダムアクセス信号は、可能なかぎり２つの周波数ホッピング間隔を経験することを可能とされてもよく、したがって、各周波数ホッピング間隔に対応する遅延の推定計算において用いられてもよく、これにより、ランダムアクセス信号の利用効率が改善される。
【０１５２】
上述の８つの周波数ホッピングパターンに加えて、実際の適用においては、より多くの周波数ホッピングパターンがさらに設計されてもよいが、端末装置がｆ0、Δｆ1およびΔｆ2にしたがってランダムアクセス信号を送信できることが条件であることに留意すべきである。これはここでは具体的に限定されない。
【０１５３】
実際の適用においては、代替的には、ｔ1およびｔ2は、離散的なタイムユニットに設定されてもよいが、端末装置がｆ0、Δｆ1およびΔｆ2にしたがってランダムアクセス信号を送信できることが条件であることに留意すべきである。これはここでは具体的に限定されない。
【０１５４】
１２０２．端末装置がランダムアクセス信号を基地局に送信する。
【０１５５】
この実施形態においては、基地局により送信されるランダムアクセス設定情報を受信した後で、端末装置は、基底周波数ｆ0、第１の周波数ホッピング間隔Δｆ1および第２の周波数ホッピング間隔Δｆ2を読み取ってもよく、ステップ１２０１において説明したパラメータ１ないしパラメータ５をさらに学習してもよい。
【０１５６】
端末装置は、ランダムアクセス設定情報に表されるように、図１３ないし図２０における周波数ホッピングパターンのいずれか１つにしたがって、ランダムアクセス信号を基地局に送信してもよい。
【０１５７】
ステップ１２０３、ステップ１２０４、ステップ１２０５、ステップ１２０６、ステップ１２０７およびステップ１２０８はそれぞれ上述の実施形態におけるステップ３０３、ステップ３０４、ステップ３０５、ステップ３０６、ステップ３０７およびステップ３０８と類似する。詳細についてはここでは再度説明しない。
【０１５８】
この実施形態と上述の実施形態との相違点は以下のとおりである。本発明のこの実施形態においては、デュアルキャリアおよびデュアル周波数ホッピング間隔が説明のための例として用いられる、つまり、端末装置は、１つのタイムユニット内で２つの異なる周波数を用いることによりランダムアクセス信号を送信してもよい。他方、この実施形態によってもたらされる有益な効果は、上述の実施形態によってもたらされるものと同じである。つまり、比較的大きな周波数ホッピング間隔が遅延推定値の精度を改善し得るし、比較的小さな周波数ホッピング間隔が基地局のカバレッジエリアを増大させ得る。したがって、この実施形態においてデュアルキャリアおよびデュアル周波数ホッピング間隔の用いられた方式においては、カバレッジエリアおよび遅延推定値の精度の双方に対して考慮を与えることができる。他方、デュアルキャリア方式が用いられるので、つまり、端末装置も１つのタイムユニット内で２つの異なる周波数を用いることによりランダムアクセス信号を送信してもよいので、本発明のこの実施形態において、上述の実施形態と比較したときにシステム全体のキャパシティが拡張される。
【０１５９】
以上、本発明の実施形態におけるデータ送信方法について説明したが、以下では本発明の実施形態における端末装置について説明する。
【０１６０】
Ｉ．基地局が、単一のキャリアに基づいてランダムアクセス信号を送信することを端末装置に対して指示する。
【０１６１】
詳細については、図２１を参照されたい。本発明の実施形態における端末装置の実施形態は、受信モジュール２１０１と、処理モジュール２１０２と、送信モジュール２１０３とを含む。
【０１６２】
受信モジュール２１０１は、基地局により送信されるランダムアクセス設定情報を受信するように構成されている。
【０１６３】
処理モジュール２１０２は、受信モジュール２１０１によって受信されたランダムアクセス設定情報にしたがって、ランダムアクセスチャネル、基底周波数ｆ0、第１の周波数ホッピング間隔Δｆ1および第２の周波数ホッピング間隔Δｆ2を決定するように構成され、第１の周波数ホッピング間隔Δｆ1は第２の周波数ホッピング間隔Δｆ2未満である。
【０１６４】
受信モジュール２１０１によって受信されるランダムアクセス設定情報は、周波数ホッピングパターン情報をさらに含んでおり、周波数ホッピングパターン情報は、端末装置がランダムアクセス信号を各タイムユニット内で送信するときに用いられる周波数を表すために用いられる。
【０１６５】
送信モジュール２１０３は、受信モジュール２１０１によって受信された周波数ホッピングパターン情報にしたがって、第１のタイムユニット内で第１の周波数を用いることによりランダムアクセス信号を送信し、第２のタイムユニット内で第２の周波数を用いることによりランダムアクセス信号を送信し、第３のタイムユニット内で第３の周波数を用いることによりランダムアクセス信号を送信し、第４のタイムユニット内で第４の周波数を用いることによりランダムアクセス信号を送信するように構成されている。第１のタイムユニット、第２のタイムユニット、第３のタイムユニットおよび第４のタイムユニットは、連続的または離散的なタイムユニットである。第１の周波数、第２の周波数、第３の周波数および第４の周波数は、基底周波数ｆ0、第１の周波数ホッピング間隔Δｆ1および第２の周波数ホッピング間隔Δｆ2にしたがって決定される。第１の周波数、第２の周波数、第３の周波数および第４の周波数の具体的な値は、図４ないし図１２に示すシングルキャリア周波数ホッピングパターンのいずれか１つによって表される値であってもよい。詳細についてはここでは再度説明しない。
【０１６６】
受信モジュール２１０１はさらに、基地局によってフィードバックされる制御情報を受信するように構成され、制御情報は送信アドバンスを含み、送信アドバンスは遅延推定値にしたがって基地局により取得され、遅延推定値は、送信モジュール２１０３によって送信されるランダムアクセス信号の間の位相差、ならびに処理モジュール２１０２によって決定される基底周波数ｆ0、第１の周波数ホッピング間隔Δｆ1および第２の周波数ホッピング間隔Δｆ2にしたがって、基地局により決定される。
【０１６７】
送信モジュール２１０３はさらに、受信モジュール２１０１によって受信された送信アドバンスにしたがって、アップリンクデータを送信するように構成されている。
【０１６８】
図２２を参照すると、受信モジュール２１０１に対応するエンティティ装置は受信機２２０１であり、処理モジュール２１０２に対応するエンティティ装置はプロセッサ２２０２であり、送信モジュール２１０３に対応するエンティティ装置は送信機２２０３である。
【０１６９】
ＩＩ．基地局が、ランダムアクセス信号を複数のキャリアに基づいて送信することを端末装置に対して指示する。
【０１７０】
詳細については、図２３を参照されたい。本発明の実施形態における端末装置の別の実施形態は、受信モジュール２３０１と、処理モジュール２３０２と、送信モジュール２３０３とを含む。
【０１７１】
受信モジュール２３０１および処理モジュール２３０２はそれぞれ機能の点から受信モジュール２２０１および処理モジュール２２０２と類似のものである。詳細についてはここでは再度説明しない。
【０１７２】
受信モジュール２３０１によって受信されるランダムアクセス設定情報は、
周波数ホッピングパターン情報をさらに含み、周波数ホッピングパターン情報は、端末装置がランダムアクセス信号を各タイムユニット内で送信するときに用いられる周波数を表すために用いられる。
【０１７３】
送信モジュール２３０３は、受信モジュール２３０１によって受信された周波数ホッピングパターン情報にしたがって、第１のタイムユニット内で第１の周波数および第２の周波数を用いることによりランダムアクセス信号を送信し、第２のタイムユニット内で第３の周波数および第４の周波数を用いることによりランダムアクセス信号を送信するように構成されている。第１のタイムユニットおよび第２のタイムユニットは、連続的または離散的なタイムユニットである。第１の周波数、第２の周波数、第３の周波数および第４の周波数は、基底周波数ｆ0、第１の周波数ホッピング間隔Δｆ1および第２の周波数ホッピング間隔Δｆ2にしたがって決定される。第１の周波数、第２の周波数、第３の周波数および第４の周波数の具体的な値は図１３ないし図２０に示すデュアルキャリア周波数ホッピングパターンのいずれか１つによって表される値であってもよい。詳細についてはここでは再度説明しない。
【０１７４】
受信モジュール２３０１はさらに、基地局によってフィードバックされる制御情報を受信するように構成され、制御情報は送信アドバンスを含み、送信アドバンスは、遅延推定値にしたがって基地局によって取得され、遅延推定値は、送信モジュール２３０３によって送信されるランダムアクセス信号の位相差、ならびに処理モジュール２３０２によって決定される基底周波数ｆ0、第１の周波数ホッピング間隔Δｆ1および第２の周波数ホッピング間隔Δｆ2にしたがって、基地局によって決定される。
【０１７５】
送信モジュール２３０３はさらに、受信モジュール２３０１によって受信された送信アドバンスにしたがってアップリンクデータを送信するように構成されている。
【０１７６】
図２４を参照すると、受信モジュール２３０１に対応するエンティティ装置は受信機２４０１であり、処理モジュール２３０２に対応するエンティティ装置はプロセッサ２４０２であり、送信モジュール２３０３に対応するエンティティ装置は送信機２４０３である。
【０１７７】
以上、本発明の実施形態における端末装置について説明したが、以下、本発明の実施形態における基地局について説明する。
【０１７８】
Ｉ．基地局が、単一のキャリアに基づいてランダムアクセス信号を送信することを端末装置に対して指示する。
【０１７９】
図２５を参照すると、本発明の実施形態における基地局の実施形態は、送信モジュール２５０１と、受信モジュール２５０３と、処理モジュール２５０２とを含む。
【０１８０】
送信モジュール２５０１は、ランダムアクセス設定情報を端末装置に送信するように構成され、ランダムアクセス設定情報は、ランダムアクセスチャネル、基底周波数ｆ0、第１の周波数ホッピング間隔Δｆ1および第２の周波数ホッピング間隔Δｆ2を表すために用いられ、第１の周波数ホッピング間隔Δｆ1は第２の周波数ホッピング間隔Δｆ2未満である。
【０１８１】
送信モジュール２５０１によって送信されるランダムアクセス設定情報は、
周波数ホッピングパターン情報をさらに含み、周波数ホッピングパターン情報は、第１のタイムユニット内で第１の周波数を用いることによりランダムアクセス信号を送信し、第２のタイムユニット内で第２の周波数を用いることによりランダムアクセス信号を送信し、第３のタイムユニット内で第３の周波数を用いることによりランダムアクセス信号を送信し、第４のタイムユニット内で第４の周波数を用いることによりランダムアクセス信号を送信することを端末装置に対して指示するために用いられる。第１のタイムユニット、第２のタイムユニット、第３のタイムユニットおよび第４のタイムユニットは連続的または離散的なタイムユニットである。第１の周波数、第２の周波数、第３の周波数および第４の周波数は、基底周波数ｆ0、第１の周波数ホッピング間隔Δｆ1および第２の周波数ホッピング間隔Δｆ2にしたがって決定される。第１の周波数、第２の周波数、第３の周波数および第４の周波数の具体的な値は、図４ないし図１２に示すシングルキャリア周波数ホッピングパターンのいずれか１つによって表される値であってもよい。詳細についてはここでは再度説明しない。
【０１８２】
受信モジュール２５０３は、送信モジュール２５０１によって送信されるランダムアクセス設定情報によって表されるランダムアクセスチャネルを介して送信されるとともに、送信モジュール２５０１によって送信されたランダムアクセス設定情報によって表される、基底周波数ｆ0と、第１の周波数ホッピング間隔Δｆ1と、第２の周波数ホッピング間隔Δｆ2とに従って端末装置によって送信されるランダムアクセス信号を受信するように構成されている。
【０１８３】
処理モジュール２５０２は特に、
第１のランダムアクセス信号と、第２のランダムアクセス信号と、第３のランダムアクセス信号と、第４のランダムアクセス信号とを、対象ランダムアクセス信号として決定し、
受信モジュール２５０３によって受信される第１のランダムアクセス信号の周波数と、受信モジュール２５０３によって受信される第２のランダムアクセス信号の周波数との間の周波数ホッピング間隔は第１の周波数ホッピング間隔Δｆ1であり、
受信モジュール２５０３によって受信される第３のランダムアクセス信号の周波数と、受信モジュール２５０３によって受信される第４のランダムアクセス信号の周波数と、の間の周波数ホッピング間隔は第２の周波数ホッピング間隔Δｆ2であり、
受信モジュール２５０３によって受信される第２のランダムアクセス信号および受信モジュール２５０３によって受信される第３のランダムアクセス信号は同一のランダムアクセス信号または異なるランダムアクセス信号であり、
受信モジュール２５０３によって受信された第１のランダムアクセス信号と受信モジュール２５０３によって受信された第２のランダムアクセス信号との間の第１の位相差を決定し、かつ受信モジュール２５０３によって受信された第３のランダムアクセス信号と、受信モジュール２５０３によって受信された第４のランダムアクセス信号との間の第２の位相差を決定し、
第１の位相差にしたがって、対応する第１の遅延推定値Ｔcoarseを決定し、かつ第２の位相差にしたがって、対応する第２の遅延推定値Ｔfineを決定し、
次式：
【０１８４】
【数５】
0006588628.tif 000006
【０１８５】
および
【０１８６】
【数６】
0006588628.tif 000007
【０１８７】
にしたがって対象遅延推定値Ｔfinalを計算するように構成され、Ｔstep＝１／Δｆ2であり、Ｚは整数の集合である。
【０１８８】
図２６を参照すると、送信モジュール２５０１に対応するエンティティ装置は送信機２６０１であり、受信モジュール２５０３に対応するエンティティ装置は受信機２６０３であり、処理モジュール２５０２に対応するエンティティ装置はプロセッサ２６０２である。
【０１８９】
ＩＩ．基地局が、複数のキャリアに基づいてランダムアクセス信号を送信することを端末装置に対して指示する。
【０１９０】
図２７を参照すると、本発明の実施形態における基地局の別の実施形態は、送信モジュール２７０１と、受信モジュール２７０３と、処理モジュール２７０２とを含む。
【０１９１】
送信モジュール２７０１は、ランダムアクセス設定情報を端末装置に送信するように構成され、ランダムアクセス設定情報は、ランダムアクセスチャネルと、基底周波数ｆ0、第１の周波数ホッピング間隔Δｆ1および第２の周波数ホッピング間隔Δｆ2を表すために用いられ、第１の周波数ホッピング間隔Δｆ1は第２の周波数ホッピング間隔Δｆ2未満である。
【０１９２】
送信モジュール２７０１によって送信されるランダムアクセス設定情報は、
周波数ホッピングパターン情報をさらに含み、周波数ホッピングパターン情報は、第１のタイムユニット内で第１の周波数および第２の周波数を用いることによりランダムアクセス信号を送信し、第２のタイムユニット内で第３の周波数および第４の周波数を用いることによりランダムアクセス信号を送信することを端末装置に対して指示するために用いられる。第１のタイムユニットおよび第２のタイムユニットは連続的または離散的なタイムユニットである。第１の周波数、第２の周波数、第３の周波数および第４の周波数は、基底周波数ｆ0、第１の周波数ホッピング間隔Δｆ1および第２の周波数ホッピング間隔Δｆ2にしたがって決定される。第１の周波数、第２の周波数、第３の周波数および第４の周波数の具体的な値は、図１３ないし図２０に示すデュアルキャリア周波数ホッピングパターンのいずれか１つによって表される値であってもよい。詳細についてはここでは再度説明しない。
【０１９３】
受信モジュール２７０３および処理モジュール２７０２はそれぞれ機能の点から受信モジュール２５０３および処理モジュール２５０２と類似する。詳細についてはここでは再度説明しない。
【０１９４】
図２８を参照すると、送信モジュール２７０１に対応するエンティティ装置は、送信機２８０１であり、受信モジュール２７０３に対応するエンティティ装置は受信機２８０３であり、処理モジュール２７０２に対応するエンティティ装置はプロセッサ２８０２である。
【０１９５】
便宜的かつ簡潔な説明の目的で、上述のシステム、装置およびユニットの詳細な動作プロセスについては、上述の方法の実施形態における対応するプロセスが参照されてもよいことは当業者によって明確に理解されることがあり、ここでは再度説明しない。
【０１９６】
本出願において提供される幾つかの実施形態においては、開示されたシステム、装置および方法が他の方式において実装されてもよいことが理解されるべきである。例えば、記載された装置の実施形態は単なる例である。例えば、ユニット区分は、単なる論理的機能の区分であり、実際の実装においては他の区分であってもよい。例えば、複数のユニットまたはコンポーネントが組み合わされまたは別のシステムに統合されてもよく、または、いくつかの特徴は無視されもしくは行われなくてもよい。加えて、表示されたまたは論じられた相互結合もしくは直接的結合または通信接続は、いくつかのインタフェースを利用して実装されてもよい。装置またはユニット間の間接的結合または通信接続は、電子的、機械的または他の形式において実装されてもよい。
【０１９７】
別個のパーツとして記載されているユニットは、物理的に別個のものであってもなくてもよく、ユニットとして表示されるパーツは、物理ユニットであってもなくてもよく、１つの位置に配置されていてもよく、複数のネットワークユニット上に分散されてもよい。ユニットの一部または全部が、実施形態の解決策の目的を達成するために、実際の要求に応じて選択されてもよい。
【０１９８】
加えて、本発明の実施形態における機能ユニットは、１つの処理ユニットに統合されてもよく、または、ユニットの各々が物理的に単独で存在していてもよく、または、２つ以上のユニットが１つのユニットに統合される。統合されたユニットはハードウェアの形態で実装されてもよく、または、ソフトウェア機能ユニットの形態で実装されてもよい。
【０１９９】
統合されたユニットがソフトウェア機能ユニットの形態で実装されかつ独立の製品として販売または使用されるとき、統合されたユニットはコンピュータ読み取り可能な記憶媒体に格納されてもよい。そのような理解に基づいて、本発明の技術的解決策は本質的に、または先行技術に寄与する部分、または技術的解決策の全てもしくは一部は、ソフトウェア製品の形態で実装されてもよい。ソフトウェア製品は記憶媒体に格納され、コンピュータ装置（パーソナルコンピュータ、サーバ、またはネットワーク装置であってもよい）に対して本発明の実施形態に記載された方法のステップの全部またはいくつかを実行するよう指示するためのいくつかの命令を含む。前述した記憶媒体は、ＵＳＢフラッシュドライブ、リムーバブルハードディスク、リードオンリーメモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、または光ディスクのようなプログラムコードを格納可能な任意の媒体を含む。
【０２００】
上述の実施形態は単に本発明の技術的解決策を説明することを意図しており、本発明を限定するためのものではない。本発明は上述の実施形態を参照して詳細に説明されたが、当業者は、本発明の実施形態の技術的解決策の範囲を逸脱することなく、依然として上述の実施形態において記載された技術的解決策に対する変更をし、または、その技術的特徴の幾つかに対して等価的な置換を行ってもよいことを理解すべきである。
【図１】
0006588628.tif 000012
【図２】
0006588628.tif 000013
【図３】
0006588628.tif 000014
【図４】
0006588628.tif 000015
【図５】
0006588628.tif 000016
【図６】
0006588628.tif 000017
【図７】
0006588628.tif 000018
【図８】
0006588628.tif 000019
【図９】
0006588628.tif 000020
【図１０】
0006588628.tif 000021
【図１１】
0006588628.tif 000022
【図１２】
0006588628.tif 000023
【図１３】
0006588628.tif 000024
【図１４】
0006588628.tif 000025
【図１５】
0006588628.tif 000026
【図１６】
0006588628.tif 000027
【図１７】
0006588628.tif 000028
【図１８】
0006588628.tif 000029
【図１９】
0006588628.tif 000030
【図２０】
0006588628.tif 000031
【図２１】
0006588628.tif 000032
【図２２】
0006588628.tif 000033
【図２３】
0006588628.tif 000034
【図２４】
0006588628.tif 000035
【図２５】
0006588628.tif 000036
【図２６】
0006588628.tif 000037
【図２７】
0006588628.tif 000038
【図２８】
0006588628.tif 000039